(57)【要約】【課題】二次元マトリクス配列されたノズルを有するインクジェットヘッドを複数種類の駆動波形を切り換えながら駆動する際の駆動波形の切り換えに起因する無効領域を低減化させ、好ましい吐出異常検出と画像記録が実現されるインクジェット記録装置及び吐出検出方法を提供する。【解決手段】マトリクス状にノズル１０８が配列された構造を有するサブヘッド１０２をつなぎ合わせた構造を有するマルチヘッド（１００）を用いて、複数段の縦線群（２３０）を有するノズルチェック用パターンの１段分を形成する際に、１行又は複数行のノズル行に属するすべてのノズルが使用される。ノズルチェックパターンの最終段を形成するノズルには、ヘッドに対して記録媒体を移動させるときの最上流側のノズル行１１０Ｆに属するすべてのノズルが少なくとも含まれる。【選択図】図１８
2011140194.tif 000002
【特許請求の範囲】
【請求項１】
記録媒体へ液滴を吐出する複数のノズルが二次元配列された構造を有するインクジェットヘッドと、
前記インクジェットヘッドと記録媒体とを所定の移動方向に沿って相対的に移動させる移動手段と、
同一の駆動タイミングで駆動されるノズルを同一の駆動波形又は同一の駆動波形群を用いて駆動するように駆動制御を行う駆動制御手段と、
記録媒体の画像形成領域へ画像記録を行う際に用いられる記録用波形と、前記画像形成領域の外側に隣接する先端側又は後端側の余白領域へノズルチェック用パターンを形成する際に用いられる異常ノズル検知用波形との切り換えを行う駆動波形切換手段と、
を備え、
前記インクジェットヘッドは、前記移動方向と直交する主走査方向又は前記主走査方向と所定の角度をなす斜め方向の行方向と、前記移動方向と平行の副走査方向又は前記副走査方向と所定の角度をなす斜め方向の列方向と、に沿って複数のノズルが並べられた構造を有し、
前記駆動制御手段は、副走査方向に伸びる縦線が主走査方向に所定の間隔をおいて並べられた１段分の縦線群を有し、かつ、主走査方向の位相をずらした複数段分の縦線群が副走査方向に沿って並べられるように形成されるノズルチェック用パターンを前記インクジェットヘッドの画像記録に使用されるすべてのノズルを用いて形成し、１段分の縦線群を形成する際に１行のノズル行に属するすべてのノズルを用いるか、又は隣接しない複数のノズル行に属するすべてのノズル用いるように、各ノズルの駆動を制御することを特徴とするインクジェット記録装置。
【請求項２】
請求項１に記載のインクジェット記録装置において、
前記駆動制御手段は、前記縦線の主走査方向における間隔が前記ノズル配列に対応した不等間隔となるノズルチェック用パターンを形成するように各ノズルの駆動制御を行うことを特徴とするインクジェット記録装置。
【請求項３】
請求項１又は２に記載のインクジェット記録装置において、
前記駆動制御手段は、前記画像形成領域の先端側の余白領域へ前記ノズルチェック用パターンの前記画像形成領域に最も近い段を形成する際に、前記記録ヘッドと前記記録媒体とを相対的に移動させるときに記録媒体と対向する位置に最初に到達するノズル行に属するすべてのノズルが用いられるように各ノズルの駆動制御を行うことを特徴とするインクジェット記録装置。
【請求項４】
請求項１又は２に記載のインクジェット記録装置において、
前記画像形成領域の後端側の余白領域へ前記ノズルチェック用パターンの前記画像形成領域に最も近い段を形成する際に、前記ヘッドと前記記録媒体とを相対的に移動させるときに記録媒体と対向する位置に最後に到達するノズル行に属するすべてのノズルが用いられるように各ノズルの駆動制御を行うことを特徴とするインクジェット記録装置。
【請求項５】
請求項１乃至４のいずれかに記載のインクジェット記録装置において、
前記インクジェットヘッドは、複数のノズルが二次元配列された構造を有するサブヘッドをつなぎ合わせた構造を有し、
前記駆動制御手段は、前記サブヘッドごとに所定の駆動波形又は駆動波形群を用いて当該サブヘッドに設けられる各ノズルの駆動を制御することを特徴とするインクジェット記録装置。
【請求項６】
請求項５に記載のインクジェット記録装置において、
前記インクジェットヘッドは、複数のサブヘッドが主走査方向に沿って一列に並べられた構造を有することを特徴とするインクジェット記録装置。
【請求項７】
請求項１乃至６のいずれかに記載のインクジェット記録装置において、
前記記録用波形及び前記異常ノズル検知用波形を生成する波形生成手段と、
前記波形生成手段により生成された波形を有する駆動波形又は駆動波形群を生成する駆動波形生成手段と、
画像データに基づいて各ノズルを選択的にオンオフさせる駆動信号を生成する駆動信号生成手段と、
を備えたことを特徴とするインクジェット記録装置。
【請求項８】
請求項１乃至７のいずれかに記載のインクジェット記録装置において、
前記ノズルチェック用パターンを読み取る読取装置から得られる読取情報に基づいて吐出異常となっている異常ノズルを判定する異常ノズル判定手段と、
異常ノズルと判定されたノズルに対して所定の処理を行なう処理手段と、
を備えたことを特徴とするインクジェット記録装置。
【請求項９】
請求項８に記載のインクジェット記録装置において、
前記処理手段は、異常ノズルと判定されたノズルを使用しないように前記異常ノズルに対応した処理を行うことを特徴とするインクジェット記録装置。
【請求項１０】
請求項８又は９に記載のインクジェット記録装置において、
前記読取装置は、当該インクジェット記録装置に具備されるインラインセンサであることを特徴とするインクジェット記録装置。
【請求項１１】
記録媒体へ液滴を吐出する複数のノズルが二次元配列された構造を有するインクジェットヘッドと記録媒体とを所定の移動方向に沿って相対的に移動させる移動工程と、
同一の駆動タイミングで駆動されるノズルを同一の駆動波形又は同一の駆動波形群を用いて駆動するように駆動制御を行う駆動制御工程と、
記録媒体の画像形成領域へ画像記録を行う際に用いられる記録用波形と、前記画像形成領域の外側に隣接する先端側又は後端側の余白領域へノズルチェック用パターンを形成する際に用いられる異常ノズル検知用波形との切り換えを行う駆動波形切換工程と、
前記ノズルチェック用パターン形成を用いて吐出異常のノズルを検出する検出工程と、
を含み、
前記インクジェットヘッドは、前記移動方向と直交する主走査方向又は前記主走査方向と所定の角度をなす斜め方向の行方向と、前記移動方向と平行の副走査方向又は前記副走査方向と所定の角度をなす斜め方向の列方向と、に沿って複数のノズルが並べられた構造を有し、
前記駆動制御工程において、副走査方向に伸びる縦線が主走査方向に所定の間隔をおいて並べられた１段分の縦線群を有し、かつ、主走査方向の位相をずらした複数段分の縦線群が副走査方向に沿って並べられるように形成されるノズルチェック用パターンを前記インクジェットヘッドの画像記録に使用されるすべてのノズルを用いて形成し、１段分の縦線群を形成する際に１行のノズル行に属するすべてのノズルを用いるか、又は隣接しない複数のノズル行に属するすべてのノズル用いるように、各ノズルの駆動が制御されることを特徴とする吐出検出方法。
【発明の詳細な説明】
【技術分野】
【０００１】
本発明はインクジェット記録装置及び吐出検出方法に係り、特に複数のノズルがマトリクス状に並べられたインクジェットヘッドの吐出検出技術に関する。
【背景技術】
【０００２】
インクジェット方式により記録媒体上に所望の画像を形成するインクジェット記録装置が知られている。二次元のノズル配列を持つサブヘッドを用紙幅方向に並べて、用紙全幅に対応するフルライン型のインクジェットヘッドを具備し、フルライン型ヘッドと用紙とを一回だけ走査させて用紙全体に画像を形成するシングルパス画像記録により、高い生産性が実現されている。
【０００３】
インクジェット記録装置において、インクの吐出状態が不安定となっている不安定吐出ノズル（異常ノズル）は種々の不具合を引き起こすため、不安定吐出ノズルを検知するとともに不吐出化（マスク）処理を施す必要がある。不安定吐出ノズルを検知する際の検知感度を上げるために、通常の描画では使用しない特殊な吐出波形で吐出させ検知用パターンを描画する方法が知られている（特許文献１）。
【０００４】
不安定吐出ノズルを検知するための検知用パターンは、ユーザ描画領域ではない用紙の端などの領域に描画され、インラインのスキャナーなどの読取装置を用いて不安定な描画状態が検知される。かかる吐出異常の検知に関して、『ヘッドのノズルヌケ』を判定するために『１オンＮオフ』（Ｎは自然数）の縦線のノズルチェック用パターンを描画し、スキャナーなどを用いてノズルチェック用パターンを読み取り、不安定吐出ノズルや不吐出ノズルの有無を判断する技術が知られている（特許文献２）。
【０００５】
なお、特許文献２の『１オンＮオフ』（Ｎは自然数）の縦線のノズルチェック用パターンは、特許文献２の図３に符号４を付して図示されたパターンであり、オンを黒、オフを印字なしとしている。つまり、Ｎ＋１ノズル間隔だけ離れたノズルからインクを吐出させて所定の長さを有する１段分の縦線を形成し、次に、インクを吐出していないノズルの中からＮ＋１ノズル間隔だけ離れたノズルを選択して、これらからインクを吐出させて次の段の縦線を形成し、この吐出動作を順次繰り返してすべてのノズルからインクを吐出させて形成されるノズルチェック用パターンである。
【先行技術文献】
【特許文献】
【０００６】
【特許文献１】特開２００３−２０５６２３号公報
【特許文献２】特開２００４−９４７４号公報
【発明の概要】
【発明が解決しようとする課題】
【０００７】
しかしながら、二次元のノズル配列を持つサブヘッド単位で駆動波形が設定される構成に対して、特許文献１に記載された検出用の駆動波形と描画用の駆動波形とを切り換える技術を適用すると、ノズルの二次元配置（マトリクス配置）に起因した無効な領域が生じてしまう。
【０００８】
例えば、図２１に図示した用紙（記録媒体）４００のように、先端４０２からユーザレイアウトエリア４０４の間のチェック用パターン形成エリア４０６に、専用の駆動波形を用いて１オン１０オフの縦線群を有する１１段のノズルチェック用パターンを形成する場合を考える。
【０００９】
また、用紙４００に描画を行なうヘッドは、図２２（ａ）に図示した構成を適用する。図２２（ａ）は、主走査方向Ｘに対して角度βをなす行方向Ｖ、及び副走査方向Ｙに対して角度αをなす列方向Ｗに沿って並べられた複数のノズル４２０を有するヘッド（サブヘッド）４２２の透視平面図（ヘッド４２２から記録媒体を見たときのノズル配置を示す図）であり、ヘッド４２２の一部を拡大した図である。図２２（ｂ）は図２２（ａ）をＸ方向について拡大した図であり、図２２（ａ）に図示したノズル配列を有するヘッド４２２を用いて形成されたノズルチェック用パターン４２６とヘッド４２２のノズル４２０との関係を表す図である。
【００１０】
図２２（ｂ）に図示した１１ピクセルピッチで等間隔に縦線４２４が並べられた縦線群４２６は、１オンＮオフのノズルチェック用パターンの１段分を構成するものであり、各縦線４２４は、ヘッド４２２内のほぼ全域にわたって配置された複数のノズル行に属するノズル４２０（「ＯＮ」を付して図示）によって形成されることになる。
【００１１】
次に、図２３（ａ）〜（ｅ）を用いて、１段分の縦線群４２６が形成される手順を時系列順に説明する。なお、図２３（ａ）〜（ｅ）では、ヘッド４２２に設けられるノズルの一部の図示が省略され、省略されたノズルは点線又は波点線で図示されている。
【００１２】
また、図２３（ａ）〜（ｅ）は、固定された用紙４００に対してヘッド４２２が図中上から下へ移動しながらノズルチェック用パターン４２６の形成が行われるものとして図示されている。
【００１３】
図２３（ａ）は、縦線４２４Ａが形成される状態が図示されている。縦線４２４Ａを形成するノズルは、図中最下段のノズル行４２１Ａに属している。図２３（ｂ）は、ヘッド４２２を図中下側に１段分移動させて、縦線４２４Ｂが形成される状態が図示されている。縦線４２４Ｂを形成するノズルには、図中下から２段目のノズル行４２１Ｂに属している。
【００１４】
図２３（ｃ）は、さらにヘッド４２２を図中下側に移動させて、縦線４２４Ｃが形成される状態が図示され、図２３（ｄ）は、ヘッド４２２をさらに図中下側へ移動させて縦線４２４Ｄが形成される状態が図示されている。このようにして、ヘッド４２２と用紙４００とを相対的に移動させながら、駆動するノズルを切り換えて、すべてのノズル行に属するノズルが使用されて、主走査方向に沿う１段分の縦線群４２６が形成される。
【００１５】
図２３（ｅ）は、ノズルチェック用パターン４２８の最終段（図中最下段）の縦線群４２６が形成された状態が図示されている。この状態において、ヘッド４２２の図中最下端に位置するノズル４２０Ｆと、ヘッド４２２の図中最上端に位置するノズル４２０Ｇとの副走査方向における距離が、無効領域４３０の副走査方向における距離となる。
【００１６】
すなわち、１段分の縦線群４２６を形成させるには、図中最下段に位置する書き始めのノズル（例えば、最初に用紙４００における所定の記録位置と対向する位置に到達するノズル４２０Ｆ）から最上段に位置する書き終りのノズル（例えば、最後に用紙４００における所定の記録位置と対向する位置に到達するノズル４２０Ｇ）までが使用されることになる。そうすると、ノズルチェック用パターンの最終段（書き終わりの段）の縦線群が形成されるまでは、ユーザレイアウトエリア４０４への画像記録を行うための記録用の波形へ切り換えることができないために、全ノズル行の行数分に対応する大きな無効領域４３０が発生してしまう。
【００１７】
所定のユーザレイアウトエリア４０４を確保しようとすると、実質的なチェック用パターン形成エリア４０６が狭くなってしまう。その結果、すべてのノズルを用いたノズルチェック用パターンを形成するためには、ノズルチェック用パターンを複数のページ（用紙）に分割することになり、検出精度の低下につながるとともに、ヤレ紙（不良な印刷物）の増加の原因となる。
【００１８】
かかる課題は、二次元マトリクス配列されたノズルを有するインクジェットヘッドを駆動する際に、複数の種類の駆動波形（例えば、記録用の駆動波形とノズルチェック用パターン描画用の駆動波形）を切り換えながら描画を行う際に生じる新たに見出された課題である。なお、かかる課題は、図２２（ａ）に図示した二次元マトリクス配列に固有のものではなく、他の二次元マトリクス配列（例えば、主走査方向に沿う行方向及び主走査方向と斜めの列方向に沿ってノズルが配置されたもの）にも共通する課題である。
【００１９】
本発明は上記問題点に鑑み、二次元マトリクス配列されたノズルを有するインクジェットヘッドを複数種類の駆動波形を切り換えながら駆動する際の駆動波形の切り換えに起因する無効領域を低減化させ、好ましい吐出異常検出と画像記録が実現されるインクジェット記録装置及び吐出検出方法を提供することを目的とする。
【課題を解決するための手段】
【００２０】
上記目的を達成するために、本発明に係るインクジェット記録装置は、記録媒体へ液滴を吐出する複数のノズルが二次元配列された構造を有するインクジェットヘッドと、前記インクジェットヘッドと記録媒体とを所定の移動方向に沿って相対的に移動させる移動手段と、同一の駆動タイミングで駆動されるノズルを同一の駆動波形又は同一の駆動波形群を用いて駆動するように駆動制御を行う駆動制御手段と、記録媒体の画像形成領域へ画像記録を行う際に用いられる記録用波形と、前記画像形成領域の外側に隣接する先端側又は後端側の余白領域へノズルチェック用パターンを形成する際に用いられる異常ノズル検知用波形との切り換えを行う駆動波形切換手段と、を備え、前記インクジェットヘッドは、前記移動方向と直交する主走査方向又は前記主走査方向と所定の角度をなす斜め方向の行方向と、前記移動方向と平行の副走査方向又は前記副走査方向と所定の角度をなす斜め方向の列方向と、に沿って複数のノズルが並べられた構造を有し、前記駆動制御手段は、副走査方向に伸びる縦線が主走査方向に所定の間隔をおいて並べられた１段分の縦線群を有し、かつ、主走査方向の位相をずらした複数段分の縦線群が副走査方向に沿って並べられるように形成されるノズルチェック用パターンを前記インクジェットヘッドの画像記録に使用されるすべてのノズルを用いて形成し、１段分の縦線群を形成する際に１行のノズル行に属するすべてのノズルを用いるか、又は隣接しない複数のノズル行に属するすべてのノズル用いるように、各ノズルの駆動を制御することを特徴とする。
【発明の効果】
【００２１】
本発明によれば、画像記録領域へ画像記録を行う際に用いられる記録用波形と、余白領域にノズルチェック用パターンを形成する際に用いられる異常ノズル検知用波形との切り換え時における無効領域が低減化され、ノズルチェック用パターンが形成されるための領域が確保される。したがって、１枚の記録媒体の中に十分なノズルチェック用パターンを形成することができるので、不安定ノズルの検出頻度が向上し、検出精度の向上につながる。
【００２２】
また、ノズルチェック用パターンを形成するための領域をより小さくすることができるので、記録媒体の全体サイズが一定であれば、画像形成領域をより大きくすることができ、一方、画像形成領域のサイズが一定であれば、記録媒体の全体サイズを小さくすることができる。
【図面の簡単な説明】
【００２３】
【図１】本発明の実施形態に係るインクジェット記録装置の全体構成図
【図２】図１に示すインクジェット記録装置に搭載されるインクジェットヘッドの構造を示す平面図
【図３】図２の拡大図
【図４】図２に示すサブヘッドのノズル配置を説明する図
【図５】図２に示すサブヘッドの立体構造を示す断面図
【図６】図１に示すインクジェット記録装置の制御系の構成を示すブロック図
【図７】吐出異常の原因を模式的に示したノズル部の拡大図
【図８】記録用波形（記録用波形群）の駆動波形の一例を示す波形図
【図９】ノズル内部要因の検知に好適な異常ノズル検知用波形の例を示す波形図
【図１０】ノズル内部要因の検知に好適な異常ノズル検知用波形の例を示す波形図
【図１１】ノズル内部要因の検知に好適な異常ノズル検知用波形の例を示す波形図
【図１２】ノズル内部要因の検知に好適な異常ノズル検知用波形の例を示す波形図
【図１３】ノズル内部要因の検知に好適な異常ノズル検知用波形の例を示す波形図
【図１４】ノズル内部要因の検知に好適な異常ノズル検知用波形の例を示す波形図
【図１５】ノズル内部要因の検知に好適な異常ノズル検知用波形の例を示す波形図
【図１６】ノズル内部要因の検知に好適な異常ノズル検知用波形の例を示す波形図
【図１７】図２に示すサブヘッドのノズル配置とノズルチェック用パターンとの関係を説明する図
【図１８】図１に示すインクジェット記録装置におけるノズルチェック用パターンの形成手順を説明する図
【図１９】インライン検出部の構成図
【図２０】図１に示すインクジェット記録装置におけるムラ補正のシーケンスを示すフローチャート
【図２１】用紙上のレイアウトを示す平面図
【図２２】従来技術に係るマトリクス配置されたノズルとノズルチェック用パターンとの関係を説明する図
【図２３】従来技術に係るノズルチェック用パターンの形成手順を説明する図
【発明を実施するための形態】
【００２４】
以下、添付図面に従って本発明の好ましい実施の形態について詳説する。
【００２５】
〔インクジェット記録装置の全体構成の説明〕
図１は、本実施形態に係るインクジェット記録装置の全体構成を示した構成図である。同図に示すインクジェット記録装置１０は、色材を含有するインクと該インクを凝集させる機能を有する凝集処理液を用いて、所定の画像データに基づいて記録媒体１４の記録面に画像を形成する２液凝集方式の記録装置である。
【００２６】
インクジェット記録装置１０は、主として、給紙部２０、処理液塗布部３０、描画部４０、乾燥処理部５０、定着処理部６０、及び排出部７０を備えて構成される。処理液塗布部３０、描画部４０、乾燥処理部５０、定着処理部６０の前段に搬送される記録媒体１４の受け渡しを行う手段として渡し胴３２，４２，５２，６２が設けられるとともに、処理液塗布部３０、描画部４０、乾燥処理部５０、定着処理部６０のそれぞれに記録媒体１４を保持しながら搬送する手段として、ドラム形状を有する圧胴３４，４４，５４，６４が設けられている。
【００２７】
渡し胴３２，４２，５２，６２及び圧胴３４，４４，５４，６４は、外周面の所定位置に記録媒体１４の先端部（又は後端部）を挟んで保持するグリッパー８０Ａ，８０Ｂが設けられている。グリッパー８０Ａとグリッパー８０Ｂにおける記録媒体１４の先端部を挟んで保持する構造、及び他の圧胴又は渡し胴に備えられるグリッパーとの間で記録媒体１４の受け渡しを行う構造は同一であり、かつ、グリッパー８０Ａとグリッパー８０Ｂは、圧胴３４の外周面の圧胴３４の回転方向について１８０°移動させた対称位置に配置されている。
【００２８】
グリッパー８０Ａ，８０Ｂにより記録媒体１４の先端部を狭持した状態で渡し胴３２，４２，５２，６２及び圧胴３４，４４，５４，６４を所定の方向に回転させると、渡し胴３２，４２，５２，６２及び圧胴３４，４４，５４，６４の外周面に沿って記録媒体１４が回転搬送される。
【００２９】
なお、図１中、圧胴３４に備えられるグリッパー８０Ａ，８０Ｂのみ符号を付し、他の圧胴及び渡し胴のグリッパーの符号は省略する。
【００３０】
給紙部２０に収容されている記録媒体（枚葉紙）１４が処理液塗布部３０に給紙されると、圧胴３４の外周面に保持された記録媒体１４の記録面に、凝集処理液（以下、単に「処理液」と記載することがある。）が付与される。なお、「記録媒体１４の記録面」とは、圧胴３４，４４，５４，６４の保持された状態における外側面であり、圧胴３４，４４，５４，６４に保持される面と反対面である。
【００３１】
その後、凝集処理液が付与された記録媒体１４は描画部４０に送出され、描画部４０において記録面の凝集処理液が付与された領域に色インクが付与され、所望の画像が形成される。
【００３２】
さらに、該色インクによる画像が形成された記録媒体１４は乾燥処理部５０に送られ、乾燥処理部５０において乾燥処理が施されるとともに、乾燥処理後に定着処理部６０に送られ、定着処理が施される。乾燥処理及び定着処理が施されることで、記録媒体１４上に形成された画像が堅牢化される。このようにして、記録媒体１４の記録面に所望の画像が形成され、該画像が記録媒体１４の記録面に定着した後に、排出部７０から装置外部に搬送される。
【００３３】
以下、インクジェット記録装置１０の各部(給紙部２０、処理液塗布部３０、描画部４０、乾燥処理部５０、定着処理部６０、排出部７０)について詳細に説明する。
【００３４】
（給紙部）
給紙部２０は、給紙トレイ２２と不図示の送り出し機構が設けられ、記録媒体１４は給紙トレイ２２から一枚ずつ送り出されるように構成されている。給紙トレイ２２から送り出された記録媒体１４は、渡し胴（給紙胴）３２のグリッパー（不図示）の位置に先端部が位置するように不図示のガイド部材によって位置決めされて一旦停止する。
【００３５】
（処理液塗布部）
処理液塗布部３０は、給紙胴３２から受け渡された記録媒体１４を外周面に保持して記録媒体１４を所定の搬送方向へ搬送する圧胴（処理液ドラム）３４と、処理液ドラム３４の外周面に保持された記録媒体１４の記録面に処理液を付与する処理液塗布装置３６と、含んで構成されている。処理液ドラム３４を図１における反時計回りに回転させると、記録媒体１４は処理液ドラム３４の外周面に沿って反時計回り方向に回転搬送される。
【００３６】
図１に示す処理液塗布装置３６は、処理液ドラム３４の外周面（記録媒体保持面）と対向する位置に設けられている。処理液塗布装置３６の構成例として、処理液が貯留される処理液容器と、処理液容器の処理液に一部が浸漬され、処理液容器内の処理液を汲み上げる汲み上げローラと、汲み上げローラにより汲み上げられた処理液を記録媒体１４上に移動させる塗布ローラ（ゴムローラ）と、を含んで構成される態様が挙げられる。
【００３７】
なお、該塗布ローラを上下方向（処理液ドラム３４の外周面の法線方向）に移動させる塗布ローラ移動機構を備え、該塗布ローラとグリッパー８０Ａ，８０Ｂとの衝突を回避可能に構成する態様が好ましい。
【００３８】
処理液塗布部３０により記録媒体１４に付与される処理液は、描画部４０で付与されるインク中の色材（顔料）を凝集させる色材凝集剤を含有し、記録媒体１４上で処理液とインクとが接触すると、インク中の色材と溶媒との分離が促進される。
【００３９】
処理液塗布装置３６は、記録媒体１４に塗布される処理液量を計量しながら塗布することが好ましく、記録媒体１４上の処理液の膜厚は、描画部４０から打滴されるインク液滴の直径より十分に小さくすることが好ましい。
【００４０】
（描画部）
描画部４０は、記録媒体１４を保持して搬送する圧胴（描画ドラム）４４と、記録媒体１４を描画ドラム４４に密着させるための用紙抑えローラ４６と、記録媒体１４にインクを付与するインクジェットヘッド４８Ｍ，４８Ｋ，４８Ｃ，４８Ｙを備えている。なお、描画ドラム４４の基本構造は、先に説明した処理液ドラム３４と共通しているので、ここでの説明は省略する。
【００４１】
用紙抑えローラ４６は、描画ドラム４４の外周面に記録媒体１４を密着させるためのガイド部材であり、描画ドラム４４の外周面に対向し、渡し胴４２と描画ドラム４４との記録媒体１４の受渡位置よりも記録媒体１４の搬送方向下流側であり、且つ、インクジェットヘッド４８Ｍ，４８Ｋ，４８Ｃ，４８Ｙよりも記録媒体１４の搬送方向上流側に配置される。
【００４２】
渡し胴４２から描画ドラム４４に受け渡された記録媒体１４は、グリッパー（符号省略）によって先端が保持された状態で回転搬送される際に、用紙抑えローラ４６によって押圧され、描画ドラム４４の外周面に密着する。このようにして、記録媒体１４を描画ドラム４４の外周面に密着させた後に、描画ドラム４４の外周面から浮き上がりのない状態で、インクジェットヘッド４８Ｍ，４８Ｋ，４８Ｃ，４８Ｙの直下の印字領域に送られる。
【００４３】
インクジェットヘッド４８Ｍ，４８Ｋ，４８Ｃ，４８Ｙはそれぞれ、マゼンダ（Ｍ）、黒（Ｋ）、シアン（Ｃ）、イエロー（Ｙ）の４色のインクに対応しており、描画ドラム４４の回転方向（図１における反時計回り方向）に上流側から順に配置されるとともに、インクジェットヘッド４８Ｍ，４８Ｋ，４８Ｃ，４８Ｙのインク吐出面（ノズル面、図５に符号１１４Ａを付して図示する。）が描画ドラム４４に保持された記録媒体１４の記録面と対向するように配置される。なお、「インク吐出面（ノズル面）」とは、記録媒体１４の記録面と対向するインクジェットヘッド４８Ｍ，４８Ｋ，４８Ｃ，４８Ｙの面であり、後述するインクが吐出されるノズル（図４に符号１０８を付して図示する。）が形成される面である。
【００４４】
また、図１に示すインクジェットヘッド４８Ｍ，４８Ｋ，４８Ｃ，４８Ｙは、描画ドラム４４の外周面に保持された記録媒体１４の記録面とインクジェットヘッド４８Ｍ，４８Ｋ，４８Ｃ，４８Ｙのノズル面が略平行となるように、水平面に対して傾けられて配置されている。
【００４５】
インクジェットヘッド４８Ｍ，４８Ｋ，４８Ｃ，４８Ｙは、記録媒体１４における画像形成領域の最大幅（記録媒体１４の搬送方向と直交する方向の長さ）に対応する長さを有するフルライン型のヘッドであり、記録媒体１４の搬送方向と直交する方向に延在するように固定設置される。
【００４６】
インクジェットヘッド４８Ｍ，４８Ｋ，４８Ｃ，４８Ｙのノズル面には、記録媒体１４の画像形成領域の全幅にわたってインク吐出用のノズルがマトリクス配置されて形成されている。
【００４７】
記録媒体１４がインクジェットヘッド４８Ｍ，４８Ｋ，４８Ｃ，４８Ｙの直下の印字領域に搬送されると、インクジェットヘッド４８Ｍ，４８Ｋ，４８Ｃ，４８Ｙから記録媒体１４の凝集処理液が付与された領域に画像データに基づいて各色のインクが吐出（打滴）される。
【００４８】
インクジェットヘッド４８Ｍ，４８Ｋ，４８Ｃ，４８Ｙから、対応する色インクの液滴が、描画ドラム４４の外周面に保持された記録媒体１４の記録面に向かって吐出されると、記録媒体１４上で処理液とインクが接触し、インク中に分散する色材（顔料系色材）又は不溶化する色材（染料系色材）の凝集反応が発現し、色材凝集体が形成される。これにより、記録媒体１４上に形成された画像における色材の移動（ドットの位置ズレ、ドットの色ムラ）が防止される。
【００４９】
また、描画部４０の描画ドラム４４は、処理液塗布部３０の処理液ドラム３４に対して構造上分離しているので、インクジェットヘッド４８Ｍ，４８Ｋ，４８Ｃ，４８Ｙに処理液が付着することがなく、インクの吐出異常の要因を低減することができる。
【００５０】
なお、本例では、ＣＭＹＫの標準色（４色）の構成を例示したが、インク色や色数の組み合わせについては本実施形態に限定されず、必要に応じて淡インク、濃インク、特別色インクを追加してもよい。例えば、ライトシアン、ライトマゼンタなどのライト系インクを吐出するインクジェットヘッドを追加する構成も可能であり、各色ヘッドの配置順序も特に限定はない。
【００５１】
（乾燥処理部）
乾燥処理部５０は、画像形成後の記録媒体１４を保持して搬送する圧胴（乾燥ドラム）５４と、該記録媒体１４上の水分（液体成分）を蒸発させる乾燥処理を施す溶媒乾燥装置５６を備えている。なお、乾燥ドラム５４の基本構造は、先に説明した処理液ドラム３４及び描画ドラム４４と共通しているので、ここでの説明は省略する。
【００５２】
溶媒乾燥装置５６は、乾燥ドラム５４の外周面に対向する位置に配置され、記録媒体１４に存在する水分を蒸発させる処理部である。描画部４０により記録媒体１４にインクが付与されると、処理液とインクとの凝集反応により分離したインクの液体成分（溶媒成分）及び処理液の液体成分（溶媒成分）が記録媒体１４上に残留してしまうので、かかる液体成分を除去する必要がある。
【００５３】
溶媒乾燥装置５６は、ヒータによる加熱、ファンによる送風、又はこれらを併用して記録媒体１４上に存在する液体成分を蒸発させる乾燥処理を施し、記録媒体１４上の液体成分を除去するための処理部である。記録媒体１４に付与される加熱量及び送風量は、記録媒体１４上に残留する水分量、記録媒体１４の種類、及び記録媒体１４の搬送速度（干渉処理時間）等のパラメータに応じて適宜設定される。
【００５４】
溶媒乾燥装置５６による乾燥処理が行われる際に、乾燥処理部５０の乾燥ドラム５４は、描画部４０の描画ドラム４４に対して構造上分離しているので、インクジェットヘッド４８Ｍ，４８Ｋ，４８Ｃ，４８Ｙにおいて、熱又は送風によるヘッドメニスカス部の乾燥によるインクの吐出異常の要因を低減することができる。
【００５５】
記録媒体１４のコックリングの矯正効果を発揮させるために、乾燥ドラム５４の曲率を０．００２（１／ｍｍ）以上とするとよい。また、乾燥処理後の記録媒体の湾曲（カール）を防止するために、乾燥ドラム５４の曲率を０．００３３（１／ｍｍ）以下とするとよい。
【００５６】
また、乾燥ドラム５４の表面温度を調整する手段（例えば、内蔵ヒータ）を備え、該表面温度を５０℃以上に調整するとよい。記録媒体１４の裏面から加熱処理を施すことによって乾燥が促進され、次段の定着処理時における画像破壊が防止される。かかる態様において、乾燥ドラム５４の外周面に記録媒体１４を密着させる手段を具備するとさらに効果的である。記録媒体１４を密着させる手段の一例として、真空吸着、静電吸着などが挙げられる。
【００５７】
なお、乾燥ドラム５４の表面温度の上限については、特に限定されるものではないが、乾燥ドラム５４の表面に付着したインクをクリーニングするなどのメンテナンス作業の安全性（高温による火傷防止）の観点から７５℃以下（より好ましくは６０℃以下）に設定されることが好ましい。
【００５８】
このように構成された乾燥ドラム５４の外周面に、記録媒体１４の記録面が外側を向くように（すなわち、記録媒体１４の記録面が凸側となるように湾曲させた状態で）保持し、回転搬送しながら乾燥処理を施すことで、記録媒体１４のシワや浮きに起因する乾燥ムラが確実に防止される。
【００５９】
（定着処理部）
定着処理部６０は、記録媒体１４を保持して搬送する圧胴（定着ドラム）６４と、画像形成がされ、さらに、液体が除去された記録媒体１４に加熱処理を施すヒータ６６と、該記録媒体１４を記録面側から押圧する定着ローラ６８と、を備えて構成される。なお、定着ドラム６４の基本構造は処理液ドラム３４、描画ドラム４４、及び乾燥ドラム５４と共通しているので、ここでの説明は省略する。ヒータ６６及び定着ローラ６８は、定着ドラム６４の外周面に対向する位置に配置され、定着ドラム６４の回転方向（図１において反時計回り方向）の上流側から順に配置される。
【００６０】
定着処理部６０では、記録媒体１４の記録面に対してヒータ６６による予備加熱処理が施されるとともに、定着ローラ６８による定着処理が施される。ヒータ６６の加熱温度は記録媒体の種類、インクの種類（インクに含有するポリマー微粒子の種類）などに応じて適宜設定される。例えば、インクに含有するポリマー微粒子のガラス転移点温度や最低造膜温度とする態様が考えられる。
【００６１】
定着ローラ６８は、乾燥させたインクを加熱加圧することによってインク中の自己分散性ポリマー微粒子を溶着し、インクを被膜化させるためのローラ部材であり、記録媒体１４を加熱加圧するように構成される。具体的には、定着ローラ６８は、定着ドラム６４に対して圧接するように配置されており、定着ドラム６４との間でニップローラを構成するようになっている。これにより、記録媒体１４は、定着ローラ６８と定着ドラム６４との間に挟まれ、所定のニップ圧でニップされ、定着処理が行われる。
【００６２】
定着ローラ６８の構成例として、熱伝導性の良いアルミなどの金属パイプ内にハロゲンランプを組み込んだ加熱ローラによって構成する態様が挙げられる。かかる加熱ローラで記録媒体１４を加熱することによって、インクに含まれるポリマー微粒子のガラス転移点温度以上の熱エネルギーが付与されると、該ポリマー微粒子が溶融して画像の表面に透明の被膜が形成される。
【００６３】
この状態で記録媒体１４の記録面に加圧を施すと、記録媒体１４の凹凸に溶融したポリマー微粒子が押し込み定着されるとともに、画像表面の凹凸がレベリングされ、好ましい光沢性を得ることができる。なお、画像層の厚みやポリマー微粒子のガラス転移点温度特性に応じて、定着ローラ６８を複数段設けた構成も好ましい。
【００６４】
また、定着ローラ６８の表面硬度は７１°以下であることが好ましい。定着ローラ６８の表面をより軟質化することで、コックリングにより生じた記録媒体１４の凹凸に対して追随効果を期待でき、記録媒体１４の凹凸に起因する定着ムラがより効果的に防止される。
【００６５】
図１に示すインクジェット記録装置１０は、定着処理部６０の処理領域の後段（記録媒体搬送方向の下流側）には、インラインセンサ８２が設けられている。インラインセンサ８２は、記録媒体１４に形成された画像（又は記録媒体１４の余白領域に形成されたチェックパターン）を読み取るためのセンサであり、ＣＣＤラインセンサが好適に用いられる。
【００６６】
本例に示すインクジェット記録装置１０は、インラインセンサ８２の読取結果に基づいてインクジェットヘッド４８Ｍ，４８Ｋ，４８Ｃ，４８Ｙの吐出異常の有無が判断される。また、インラインセンサ８２は、水分量、表面温度、光沢度などを計測するための計測手段を含む態様も可能である。かかる態様において、水分量、表面温度、光沢度の読取結果に基づいて、乾燥処理部５０の処理温度や定着処理部６０の加熱温度及び加圧圧力などのパラメータを適宜調整し、装置内部の温度変化や各部の温度変化に対応して、上記制御パラメータが適宜調整される。
【００６７】
（排出部）
図１に示すように、定着処理部６０に続いて排出部７０が設けられている。排出部７０は、張架ローラ７２Ａ，７２Ｂに巻きかけられた無端状の搬送ベルト７４と、画像形成後の記録媒体１４が収容される排出トレイ７６と、を備えて構成されている。
【００６８】
定着処理部６０から送り出された定着処理後の記録媒体１４は、搬送ベルト７４によって搬送され、排出トレイ７６に排出される。
【００６９】
〔インクジェットヘッドの構造の説明〕
図２は、本発明に適用されるインクジェットヘッドの概略構成図であり、同図はインクジェットヘッドから記録媒体の記録面を見た図（ヘッドの平面透視図）となっている。なお、図１に図示したインクジェットヘッド４８Ｍ，４８Ｋ，４８Ｃ，４８Ｙは同一構造を有しているので、以下の説明ではインクジェットヘッド４８Ｍ，４８Ｋ，４８Ｃ，４８Ｙを区別する必要がない場合は、これらを総称して「インクジェットヘッド１００」、又は単に「ヘッド１００」と記載する。
【００７０】
同図に示すヘッド１００は、ｎ個のサブヘッド１０２‐ｉ（ｉは１からｎの整数）を一列につなぎ合わせてマルチヘッドを構成している。また、各サブヘッド１０２‐ｉは、ヘッド１００の短手方向の両側からヘッドカバー１０４，１０６によって支持されている。なお、サブヘッド１０２を千鳥状に配置してマルチヘッドを構成することも可能である。
【００７１】
複数のサブヘッドにより構成されるマルチヘッドの適用例として、記録媒体の全幅に対応したフルライン型ヘッドが挙げられる。フルライン型ヘッドは、記録媒体の移動方向（副走査方向）と直交する方向（主走査方向）に沿って、記録媒体の主走査方向における長さ（幅）に対応して、複数のノズル（図４に符号１０８を付して図示する。）が並べられた構造を有している。かかる構造を有するヘッド１００と記録媒体とを相対的に一回だけ走査させて画像記録を行う、いわゆるシングルパス画像記録方式により、記録媒体の全面にわたって画像を形成し得る。
【００７２】
図３は、ヘッド１００の一部拡大図である。同図に示すように、サブヘッド１０２は、略平行四辺形の平面形状を有し、隣接するサブヘッド間にオーバーラップ部が設けられている。オーバーラップ部とは、サブヘッドのつなぎ部分であり、サブヘッド１０２‐ｉの並び方向（図２における左右方向、図３に図示する主走査方向Ｘ）に隣接するドットが異なるサブヘッドに属するノズルによって形成される。
【００７３】
図４は、サブヘッド１０２‐ｉのノズル配列を示す平面図である。同図に示すように、各サブヘッド１０２‐ｉは、ノズル１０８が二次元状に並べられた構造を有し、かかるサブヘッド１０２‐ｉを備えたヘッドは、いわゆるマトリクスヘッドと呼ばれるものである。
【００７４】
図４に示したサブヘッド１０２‐ｉは、副走査方向Ｙに対して角度αをなす列方向Ｗ、及び主走査方向Ｘに対して角度βをなす行方向Ｖに沿って多数のノズル１０８が並べられた構造を有し、主走査方向Ｘの実質的なノズル配置密度が高密度化されている。図４では、行方向Ｖに沿って並べられたノズル群（ノズル行）は符号１１０を付して図示され、列方向Ｗに沿って並べられたノズル群（ノズル列）は符号１１２を付して図示されている。
【００７５】
図５は、記録素子単位となる１チャンネル分の液滴吐出素子（１つのノズル１０８に対応したインク室ユニット）の立体的構成を示す断面図である。同図に示すように、本例のヘッド１００は、ノズル１０８が形成されたノズルプレート１１４と、圧力室１１６や共通流路１１８等の流路が形成された流路板１２０等を積層接合した構造から成る。ノズルプレート１１４は、ヘッド１００のノズル面１１４Ａを構成し、各圧力室１１６にそれぞれ連通する複数のノズル１０８が２次元的に形成されている。
【００７６】
流路板１２０は、圧力室１１６の側壁部を構成するとともに、共通流路１１８から圧力室１１６にインクを導く個別供給路の絞り部（最狭窄部）としての供給口１２２を形成する流路形成部材である。なお、説明の便宜上、図５では簡略的に図示しているが、流路板１２０は一枚又は複数の基板を積層した構造である。
【００７７】
ノズルプレート１１４及び流路板１２０は、シリコンを材料として半導体製造プロセスによって所要の形状に加工することが可能である。
【００７８】
共通流路１１８はインク供給源たるインクタンク（不図示）と連通しており、インクタンクから供給されるインクは共通流路１１８を介して各圧力室１１６に供給される。
【００７９】
圧力室１１６の一部の面（図５において天面）を構成する振動板１２４には、個別電極１２６及び下部電極１２８を備え、個別電極１２６と下部電極１２８との間に圧電体１３０がはさまれた構造を有するピエゾアクチュエータ１３２が接合されている。振動板１２４を金属薄膜や金属酸化膜により構成すると、ピエゾアクチュエータ１３２の下部電極１２８に相当する共通電極として機能する。なお、樹脂などの非導電性材料によって振動板を形成する態様では、振動板部材の表面に金属などの導電材料による下部電極層が形成される。
【００８０】
個別電極１２６に駆動電圧を印加することによってピエゾアクチュエータ１３２が変形して圧力室１１６の容積が変化し、これに伴う圧力変化によりノズル１０８からインクが吐出される。インク吐出後、ピエゾアクチュエータ１３２が元の状態に戻る際、共通流路１１８から供給口１２２を通って新しいインクが圧力室１１６に再充填される。
【００８１】
かかる構造を有するインク室ユニットを図４に示す如く、主走査方向Ｘと角度βをなす行方向Ｖ及び副走査方向Ｙに対して角度αをなす列方向Ｗに沿って一定の配列パターンで格子状に多数配列させることにより、本例の高密度ノズルヘッドが実現されている。かかるマトリクス配列において、副走査方向の隣接ノズル間隔をＬｓとするとき、主走査方向については実質的に各ノズル１０８が一定のピッチＰ＝Ｌｓ／tanθで直線状に配列されたものと等価的に取り扱うことができる。
【００８２】
なお、本発明に適用可能なノズル配列は、図４に図示したノズル配列に限定されず、例えば、主走査方向に沿う行方向及び主走査方向に対して斜めの列方向に沿って複数のノズルがマトリクス配列された態様にも適用可能である。
【００８３】
〔制御系の説明〕
図６は、インクジェット記録装置１０のシステム構成を示すブロック図である。図６に示すように、インクジェット記録装置１０は、通信インターフェース１７０、システムコントローラ１７２、画像メモリ１７４、ＲＯＭ１７５、モータドライバ１７６、ヒータドライバ１７８、プリント制御部１８０、画像バッファメモリ１８２、ヘッドドライバ１８４等を備えている。
【００８４】
通信インターフェース１７０は、ホストコンピュータ１８６から送られてくる画像データを受信するインターフェース部（画像入力手段）である。通信インターフェース１７０にはＵＳＢ（Universal Serial Bus）、ＩＥＥＥ１３９４、イーサネット（登録商標）、無線ネットワークなどのシリアルインターフェースやセントロニクスなどのパラレルインターフェースを適用することができる。この部分には、通信を高速化するためのバッファメモリ（不図示）を搭載してもよい。
【００８５】
ホストコンピュータ１８６から送出された画像データは通信インターフェース１７０を介してインクジェット記録装置１０に取り込まれ、一旦画像メモリ１７４に記憶される。画像メモリ１７４は、通信インターフェース１７０を介して入力された画像を格納する記憶手段であり、システムコントローラ１７２を通じてデータの読み書きが行われる。画像メモリ１７４は、半導体素子からなるメモリに限らず、ハードディスクなど磁気媒体を用いてもよい。
【００８６】
システムコントローラ１７２は、中央演算処理装置（ＣＰＵ）及びその周辺回路等から構成され、所定のプログラムに従ってインクジェット記録装置１０の全体を制御する制御装置として機能するとともに、各種演算を行う演算装置として機能する。すなわち、システムコントローラ１７２は、通信インターフェース１７０、画像メモリ１７４、モータドライバ１７６、ヒータドライバ１７８等の各部を制御し、ホストコンピュータ１８６との間の通信制御、画像メモリ１７４及びＲＯＭ１７５の読み書き制御等を行うとともに、搬送系のモータ１８８やヒータ１８９を制御する制御信号を生成する。
【００８７】
また、システムコントローラ１７２は、インライン検出部１４４から読み込んだテストチャートや、後述するノズルチェック用パターンの読取データから吐出異常ノズルの有無を判断し、吐出異常ノズルの位置を特定する吐出異常ノズル判定部１７２Ａを含んで構成される。吐出異常ノズル判定部１７２Ａの処理機能はＡＳＩＣやソフトウエア又は適宜の組み合わせによって実現可能である。
【００８８】
吐出異常ノズル判定部１７２Ａにおいて求められた吐出異常ノズルの情報（データ）は、吐出異常ノズル情報記憶部１９０に記憶される。
【００８９】
ＲＯＭ１７５には、システムコントローラ１７２のＣＰＵが実行するプログラム及び制御に必要な各種データ（テストチャートを打滴するためのデータ、異常ノズル検知用の波形データ、描画記録用の波形データ、異常ノズル情報などを含む）が格納されている。ＲＯＭ１７５は、書換不能な記憶手段であってもよいし、ＥＥＰＲＯＭのような書換可能な記憶手段であってもよい。また、このＲＯＭ１７５の記憶領域を活用することで、ＲＯＭ１７５を吐出異常ノズル情報記憶部１９０として兼用する構成も可能である。
【００９０】
画像メモリ１７４は、画像データの一時記憶領域として利用されるとともに、プログラムの展開領域及びＣＰＵの演算作業領域としても利用される。
【００９１】
モータドライバ１７６は、システムコントローラ１７２からの指示に従って搬送系のモータ１８８を駆動するドライバ（駆動回路）である。ヒータドライバ１７８は、システムコントローラ１７２からの指示に従って後乾燥部１４２等のヒータ１８９を駆動するドライバである。
【００９２】
プリント制御部１８０は、システムコントローラ１７２の制御に従い、画像メモリ１７４内の画像データ（多値の入力画像のデータ） から打滴制御用の信号を生成するための各種加工、補正などの処理を行う信号処理手段として機能するとともに、生成したインク吐出データをヘッドドライバ１８４に供給してヘッド１００の吐出駆動を制御する駆動制御手段として機能する。
【００９３】
すなわち、プリント制御部１８０は、濃度データ生成部１８０Ａと、補正処理部１８０Ｂと、インク吐出データ生成部１８０Ｃと、駆動波形生成部１８０Ｄとを含んで構成される。これら各機能ブロック（１８０Ａ〜１８０Ｄ）は、ＡＳＩＣやソフトウエア又は適宜の組み合わせによって実現可能である。
【００９４】
濃度データ生成部１８０Ａは、入力画像のデータからインク色別の初期の濃度データを生成する信号処理手段であり、濃度変換処理（ＵＣＲ処理や色変換を含む）及び必要な場合には画素数変換処理を行う。
【００９５】
補正処理部１８０Ｂは、吐出異常ノズル情報記憶部１９０に格納されている吐出異常ノズルの情報に基づいて、補正の演算を行う処理手段である。補正処理部１８０Ｂの処理例として、吐出異常ノズルに対応する画素のデータ値をゼロとする不吐化処理（マスク処理）が挙げられる。
【００９６】
インク吐出データ生成部１８０Ｃは、補正処理部１８０Ｂで生成された補正後の画像データ（濃度データ）から２値又は多値のドットデータに変換するハーフトーニング処理手段を含む信号処理手段であり、２値（多値）化処理を行う。ハーフトーン処理の手段としては、誤差拡散法、ディザ法、閾値マトリクス法、濃度パターン法など、各種公知の手段を適用できる。ハーフトーン処理は、一般に、Ｍ値（Ｍ≧３）の階調画像データをＮ値（Ｎ＜Ｍ）の階調画像データに変換する。最も単純な例では、２値（ドットのオン／オフ）のドット画像データに変換するが、ハーフトーン処理において、ドットサイズの種類（例えば、大ドット、中ドット、小ドットなどの３種類）に対応した多値の量子化を行うことも可能である。
【００９７】
インク吐出データ生成部１８０Ｃで生成されたインク吐出データはヘッドドライバ１８４に与えられ、ヘッド１００のインク吐出動作が制御される。
【００９８】
駆動波形生成部１８０Ｄは、ヘッド１００の各ノズル１０８に対応したアクチュエータ（図４に符号１３２を付して図示する。）を駆動するための駆動波形又は、複数の駆動波形が含まれる駆動波形群を生成するとともに、ノズルごとのオンオフを切り換える駆動信号を生成する手段であり、該駆動波形生成部１８０Ｄで生成された信号（駆動波形及び駆動信号）は、ヘッドドライバ１８４に供給される。なお、駆動波形生成部１８０Ｄから出力される信号は、デジタル波形データであってもよいし、アナログ電圧信号であってもよい。
【００９９】
なお、以下の説明における「記録用波形」及び「異常ノズル検知用波形」という用語は、単一の波形だけでなく複数の波形要素を含む波形群を包括した概念を表すこととする。つまり、「記録用波形」には、単一の記録用波形を表すだけでなく、複数の記録用波形が連続する記録用波形群を表すことがある。
【０１００】
また、駆動波形生成部１８０Ｄは、記録用波形と、異常ノズル検知用波形とを生成する。各種波形データは予めＲＯＭ１７５に格納され、必要に応じて使用する波形データが選択的に出力される。
【０１０１】
ヘッドドライバ１８４は、ヘッドモジュールごとに同一（共通）の駆動波形を供給するとともに、ヘッドモジュールごとに各ノズルのオンオフを切り換える駆動信号を供給する。すなわち、１つのヘッドモジュールに属する各ノズルに対応するピエゾアクチュエータ１３２には、該同一の駆動波形とノズルごとの駆動信号が供給される。また、記録用波形と異常ノズル検知用波形との切り換えはヘッドモジュールごとに行われる。
【０１０２】
なお、ヘッドドライバ１８４は、ヘッドごとに設けられていてもよいし、ヘッドを構成するヘッドモジュールごとに設けられていてもよい。
【０１０３】
プリント制御部１８０には画像バッファメモリ１８２が備えられており、プリント制御部１８０における画像データ処理時に画像データやパラメータなどのデータが画像バッファメモリ１８２に一時的に格納される。なお、図６において画像バッファメモリ１８２はプリント制御部１８０に付随する態様で示されているが、画像メモリ１７４と兼用することも可能である。また、プリント制御部１８０とシステムコントローラ１７２とを統合して１つのプロセッサで構成する態様も可能である。
【０１０４】
画像入力から印字出力までの処理の流れを概説すると、印刷すべき画像のデータは、通信インターフェース１７０を介して外部から入力され、画像メモリ１７４に蓄えられる。この段階では、例えば、ＲＧＢの多値の画像データが画像メモリ１７４に記憶される。
【０１０５】
インクジェット記録装置１０では、インク（色材）による微細なドットの打滴密度やドットサイズを変えることによって、人の目に疑似的な連続階調の画像を形成するため、入力されたデジタル画像の階調（画像の濃淡）をできるだけ忠実に再現するようなドットパターンに変換する必要がある。そのため、画像メモリ１７４に蓄えられた元画像（ＲＧＢ）のデータは、システムコントローラ１７２を介してプリント制御部１８０に送られ、該プリント制御部１８０の濃度データ生成部１８０Ａ、補正処理部１８０Ｂ、インク吐出データ生成部１８０Ｃを経てインク色ごとのドットデータに変換される。
【０１０６】
すなわち、プリント制御部１８０は、入力されたＲＧＢ画像データをＭ，Ｋ，Ｃ，Ｙの４色のドットデータに変換する処理を行う。こうして、プリント制御部１８０で生成されたドットデータは、画像バッファメモリ１８２に蓄えられる。この色別ドットデータは、ヘッド１００のノズルからインクを吐出するためのＭＫＣＹ打滴データに変換され、印字されるインク吐出データが確定する。
【０１０７】
ヘッドドライバ１８４は、プリント制御部１８０から与えられるインク吐出データ及び駆動波形に基づき、印字内容に応じてヘッド１００の各ノズル１０８に対応するピエゾアクチュエータ１３２を駆動するための駆動波形を出力する。ヘッドドライバ１８４にはヘッドの駆動条件を一定に保つためのフィードバック制御系を含んでいてもよい。
【０１０８】
こうして、ヘッドドライバ１８４から出力された駆動波形がヘッド１００に加えられることによって、該当するノズル１０８からインクが吐出される。記録媒体１４の搬送速度に同期してヘッド１００からのインク吐出を制御することにより、記録媒体１４上に画像が形成される。
【０１０９】
上記のように、プリント制御部１８０における所要の信号処理を経て生成されたインク吐出データ及び駆動波形に基づき、ヘッドドライバ１８４を介して各ノズルからのインク液滴の吐出量や吐出タイミングの制御が行われる。これにより、所望のドットサイズやドット配置が実現される。
【０１１０】
インライン検出部１４４は、図１で説明したように、イメージセンサを含むブロックであり、記録媒体１４に印字された画像を読み取り、所要の信号処理などを行って印字状況（吐出の有無、打滴のばらつき、光学濃度など）を検出し、その検出結果をプリント制御部１８０及びシステムコントローラ１７２に提供する。
【０１１１】
プリント制御部１８０は、必要に応じてインライン検出部１４４から得られる情報に基づいてヘッド１００に対する各種補正を行うとともに、必要に応じて予備吐出や吸引、ワイピング等のクリーニング動作（ノズル回復動作）を実施する制御を行う。
【０１１２】
図中のメンテナンス機構１９４は、インク受け、吸引キャップ、吸引ポンプ、ワイパーブレードなど、ヘッドメンテナンスに必要な部材を含んだものである。
【０１１３】
また、ユーザインターフェースとしての操作部１９６は、オペレータ（ユーザ）が各種入力を行うための入力装置１９７と表示部（ディスプレイ）１９８を含んで構成される。入力装置１９７には、キーボード、マウス、タッチパネル、ボタンなど各種形態を採用し得る。オペレータは、入力装置１９７を操作することにより、印刷条件の入力、画質モードの選択、付属情報の入力・編集、情報の検索などを行うことができ、入力内容や検索結果など等の各種情報は表示部１９８の表示を通じて確認することができる。この表示部１９８はエラメッセージなどの警告を表示する手段としても機能する。
【０１１４】
本実施形態のインクジェット記録装置１０は、複数の画質モードを有しており、ユーザの選択操作により、または、プログラムによる自動選択により、画質モードが設定される。この設定された画質モードで要求される出力画質レベルに応じて、異常ノズルを判断する基準が変更される。要求品質が高いほど、判定基準は厳しい方向に設定される。
【０１１５】
各画質モードの印刷条件並びに異常ノズル判定基準に関する情報はＲＯＭ１７５に格納されている。
【０１１６】
図６で説明した吐出異常ノズル判定部１７２Ａ、濃度データ生成部１８０Ａ、補正処理部１８０Ｂが担う処理機能の全て又は一部をホストコンピュータ１８６側に搭載する態様も可能である。
【０１１７】
〔吐出異常の原因について〕
次に、吐出異常の原因について説明する。図７は吐出異常の原因を模式的に示したノズル部の拡大図である。図７において符号１０８はノズル、２００はノズル１０８内に充填されたインク、２０２はメニスカス（気液界面）を表している。同図（ａ）はノズル１０８内のインク２００中に気泡２０４が混入している様子を示している。ノズル１０８は図示せぬ圧力室（図５に符号１１６を付して図示する。）と連通しており、圧力室には圧力発生手段としての圧電素子（ピエゾアクチュエータ、図５に符号１３２を付して図示する）が設けられている。圧電素子を駆動して圧力室の容積を変化させることにより、ノズル１０８から液滴が吐出される。このとき、ノズル１０８内に気泡２０４が存在すると、気泡２０４によって圧力が吸収されたり、液の流れが妨げられたりするため、吐出異常となる。
【０１１８】
図７（ｂ）はノズル１０８の内壁面に異物２０６が付着している様子を示している。ノズル内部に異物２０６が付着している場合、この異物２０６によって液の流れが妨げられ、飛翔曲がりなどの吐出異常の原因となる。
【０１１９】
図７（ｃ）はノズル１０８の外部においてノズル穴近傍に異物２０８が付着している場合を示している。ノズル外部のノズル近傍に異物２０８が付着している場合、この異物２０８に液が接触することでメニスカスの軸対称性が崩れ、飛翔曲がりなどの吐出異常の原因となる。
【０１２０】
異物２０８の付着に代えて、ノズル面１１４Ａにおけるノズル近傍の部分的な撥液性の低下（例えば、撥液膜の剥がれ）などの場合も、この図７（ｃ）と同様である。なお、異物２０６，２０８としては、例えば、インク成分の凝集物、乾燥物、紙粉、ホコリ、インクミスト、ヘッド製造プロセスで意図せず残留した残渣などがある。
【０１２１】
〔異常ノズルの検出方法〕
図７で示したように吐出異常の原因は、（ａ）、（ｂ）で説明したノズル内部要因と、（ｃ）で説明したノズル外部要因とに大別される。ノズル内に気泡２０４や異物２０６が存在する場合（ノズル内部要因の異常ノズル）は、吐出力を低下させると、当該ノズル内部要因による吐出異常が助長される。すなわち、圧電素子の変位量を小さくしたり、ヘッド共振周波数からずれた周波数で圧力変動を与えたりするなどの方法で、吐出速度を低下させる駆動を行うことにより、気泡２０４や異物２０６の影響が吐出結果に一層顕著に反映される。その結果、不吐が助長され、或いは、飛翔曲がりの曲がり量が増幅されたりする。
【０１２２】
その一方、ノズル外部に異物２０８や撥液性不良などがあるときは、ノズル１０８の穴からインクを溢れさせ（インクを盛り上げて）、ノズル外部の異物２０８や撥液性不良部分にインクを接触させることによって、当該ノズル外部要因による吐出異常が助長される。
【０１２３】
本実施形態では、吐出異常を検知する際には、描画記録用の駆動波形とは別に、吐出異常を助長する波形を用いてノズルチェック用パターン（テストチャート、テストパターンともいう。）の描画を行い、その印字結果を測定する。つまり、通常の描画時における吐出用の駆動波形を用いて圧電素子を駆動した場合には、吐出異常として発現しない（検知できない）レベルの気泡２０４や異物２０６，２０８等の状況であったとしても、吐出異常を助長・増幅させる検知用波形を用いることで、検知可能な不良として発現させることができる。これにより、描画記録用の駆動波形では未だ吐出異常として認識できない初期段階レベルの吐出異常を早期に検知することができる。
【０１２４】
以下、具体的な波形例を説明する。
【０１２５】
（描画記録時の駆動波形について）
図８は、通常の描画記録時における吐出用の駆動波形（以下「記録用波形」という。）の例である。ここでは、説明を簡単にするために、いわゆる引き−押し（pull-push）型の駆動波形を例示する。ただし、本発明の実施に際しては、駆動波形の形態は特に限定されず、引き押し引き（pull-push-pull）波形その他の各種の駆動波形を用いることができる。
【０１２６】
図８に示した記録用波形２１０は、圧力室の容積を定常状態に維持する基準電位を出力する第１信号要素２１０ａと、この定常状態から圧力室を広げる方向に圧電素子を駆動する第２信号要素（引き波形部）２１０ｂと、圧力室を広げた状態で維持する第３信号要素２１０ｃと、圧力室を押し縮める方向に圧電素子を駆動する第４信号要素（押し波形部）２１０ｄと、を有している。
【０１２７】
すなわち、第１信号要素２１０ａは基準電位を維持する波形部であり、第２信号要素２１０ｂは、基準電位から電位を下げる立ち下がり波形部である。第３信号要素２１０ｃは第２信号要素２１０ｂで下降した電位を維持する波形部、第４信号要素２１０ｄは第３信号要素２１０ｃの電位を基準電位まで上昇させる立ち上がり波形部である。
【０１２８】
この引き押し波形のパルス間隔は、ヘッド共振周期（ヘルムホルツ固有振動周期）Ｔと一致させることが好ましく、パルス幅Ｔpは、ヘッド共振周期（ヘルムホルツ固有振動周期）Ｔｃの自然数分の１とすることが望ましい。ヘッド共振周期とは、インク流路系、インク（音響要素）、圧電素子の寸法、材料、物性値等から定まる振動系全体の固有周期をいう。
【０１２９】
（ノズル内部要因の不良検知に好適な異常ノズル検知用波形の例）
異常ノズルを検知する際には、図８で説明した記録用波形とは異なる特別な波形（「異常ノズル検知用波形」という。）を用い、吐出異常を助長・増幅させて、検出感度、精度を向上させる。
【０１３０】
ノズル内部要因の異常ノズルを検知するのに好適な異常ノズル検知用波形の例を図９〜図１２に示す。
【０１３１】
図９は、図８の記録用波形と比較して電位差Ｖｐｐ（電圧波形の最大値と最小値の差）が小さくなっている。記録用波形の電位差よりも１０％以上減少させることが好ましく、１５％〜２５％の範囲で減少させることがより好ましい。
【０１３２】
図１０は、図８の記録用波形と比較してパルス幅Ｔｐが変更されている。記録用波形のパルス幅に対し、１０％以上増加又は減少させることが好ましく、２０％〜５０％の範囲で増減させることがより好ましい。
【０１３３】
インクジェットヘッドは、その流路構造や使用する液体の物性などから、安定して吐出させることができるパルス幅がある。記録用波形のパルス幅はこの安定吐出可能なパルス幅に定められている。一方、異常ノズル検知用波形では、吐出力を弱めるため、パルス幅を変更したものを使用する。
【０１３４】
図１１は、図８の記録用波形と比較して、パルス波形の傾き（第４信号要素２１０ｄの立ち上がりの傾き）が変更されている。記録用波形の傾きに対し、２０％以上傾きを増加又は減少させることが好ましく、５０％〜２００％の範囲で増減させることがより好ましい。
【０１３５】
図１２は、吐出パルス２１２の前に、その吐出力を弱める波形の信号（プレパルス）を印加する例である。ヘッド共振周波数を１／Ｔｃとしたとき、吐出パルス２１２の前（Ｔｃ／２）×ｎに、電位差の小さいパルス（このパルスの印加だけではノズルから吐出させることができない程度の弱いパルス）を印加する（ただし、ｎは自然数）。
【０１３６】
このプレパルス２１４は、基準電位から電位を下げる波形部（第５信号要素２１４ａ）と、当該第５信号要素２１４ａで下降した電位を維持する第６信号要素２１４ｂと、当該第６信号要素２１４ｂの電位を基準電位まで上昇させる第７信号要素と、を有している。プレパルス２１４の印加によって発生する振動波によって、これに続く吐出パルス２１２の引き込み（第１信号要素２１０ａによる引き込み動作）が阻害され、当該吐出パルス２１２による吐出力が低減される。すなわち、プレパルス２１４の印加により、ノズル内のメニスカスは一旦ノズル内に引き込まれ、次に、ノズル外に盛り上がるように押し出される。この振動が残ってさらにもう一度メニスカスが引き込まれ、押し出されるタイミングで、次の吐出パルス２１２の引き込み信号要素（２１０ａ）が加わる。このため、プレパルス２１４の残存振動の盛り上がり動作に重なる引き込み信号要素（２１０ａ）の引き動作が阻害され、吐出力が弱まる。なお、図９〜図１２で説明した構成を適宜組み合わせることもできる。
【０１３７】
（ノズル外部要因の不良検知に好適な異常ノズル検知用波形の例）
次に、ノズル外部要因の異常ノズルを検知するのに好適な異常ノズル検知用波形の例を図１３〜図１６に示す。
【０１３８】
図１３は、図８の記録用波形と比較して電位差Ｖｐｐ（電圧波形の最大値と最小値の差）が大きくなっている。記録用波形の電位差よりも１０％以上増加させることが好ましい。
【０１３９】
図１４は、吐出パルス２２０の引き込み信号要素（符号２１０ｂ）前に、圧力室を収縮させ、ノズルからインクを盛り上げる（インクを膨出させる）ための信号要素（符号２１０ｅ）とその電位を維持する信号要素２１０ｆを加えた例である。
【０１４０】
この信号要素２１０ｅ，２１０ｆによって、吐出前にインクがノズルから盛り上がり、ノズル外の異物２０８等にインクが接触し得る。
【０１４１】
図１５は、図１４の波形に加えて、更に、時間間隔ｎ×Ｔｃで吐出パルス２２０を印加するものである。図１５の構成によれば、１つ前の吐出パルス２２０の印加によって発生する残存振動で、次の吐出前の圧力室収縮用信号要素（２１０ｅ）によってノズルからインクを更に盛り上げることができる。振動周期Ｔｃの整数倍のタイミングで押し出し動作を追加することにより、振動を増幅させることができる。
【０１４２】
図１６は、吐出パルス２２０の前に、電位差の小さいプレパルス２２２を印加するものである。このプレパルス２２２は、吐出パルス２２０の手前「ｎ×Ｔｃ」のタイミングで印加される。プレパルス２２２は、基準電位から電位を上げて圧力室を収縮させる押し込み信号要素（第８信号要素）２２２ａと、当該第８信号要素２２２ａで上昇させた電位を維持する第９信号要素２２２ｂと、当該第９信号要素２２２ｂの電位を基準電位まで戻す第１０信号要素２２２ｃと、を有している。プレパルス２２２単独の印加のみでは、ノズルからインクを吐出させることができない。
【０１４３】
このようなプレパルス２２２の印加によって発生する振動波によって、これに続く吐出パルス２２０による振動と共振させることにより、ノズルからの盛り上がりを増幅させることができる。
【０１４４】
図９〜図１６で説明したように、描画記録用の駆動波形とは異なる特別の波形（異常ノズル検知用波形）を用いてノズルチェック用パターンを打滴し、このノズルチェック用パターンの印字結果から異常ノズルの有無を検知する。
【０１４５】
この異常ノズル検知用波形は、記録用波形に比べて、ノズルにおける異常の具合を増幅することができる。したがって、記録用波形を用いた描画記録時に記録不良が発生する前の段階で早期に異常検出が可能である。また、低解像度検出器での検出が可能であるとともに、高速検出、高感度検出が可能である。
【０１４６】
また、ノズル内部要因とノズル外部要因の両方の故障原因に対応して、複数種類の異常ノズル検知波形を用い、異常ノズルを検知することにより、それぞれの故障原因による吐出異常を高感度で検出することが可能である。
【０１４７】
更に、目的の画像を描画記録中に、記録媒体の非画像部（余白部分）に異常ノズル検知用波形を用いてノズルチェック用パターンを形成し、このノズルチェック用パターンの印字結果から異常ノズル検知を行うことができる。そして、異常ノズルが検知されたときには、当該異常ノズルの使用を止めて残りの正常ノズルのみで良好な画像出力ができるように画像データを修正し、当該修正後の画像データに基づき、目的の画像の印刷を継続することができる。こうして、記録用波形を用いた画像部の描画記録で不具合が発生するまでの間に、早めに異常ノズルを発見してこれに対処し、連続記録（連続印刷）を可能とする。すなわち、画像部の描画について実際に不具合が発生する前に、吐出異常となりそうな異常ノズルを早期に検知して、これを不吐化処理し、その不吐化による影響を残りのノズルで補うように画像データを補正する。このため、連続記録中に発生する不具合に対して、損紙の発生やスループット低下を回避して、印刷を継続することができる。
【０１４８】
〔ノズルチェック用パターンの説明〕
次に、上述した異常ノズル検知用波形を用いて形成されるノズルチェック用パターンの形成方法について説明する。
【０１４９】
図１７は、ノズルチェックパターンとノズル配置との関係を示す図である、同図には、ヘッド（図２に符号１００を付して図示する。）を構成するサブヘッド１０２の一部を拡大して図示するとともに、ノズルチェック用パターンを構成する１段分の縦線群２３０の一部を図示する。
【０１５０】
同図に示すように、縦線群２３０を構成する縦線２３２（２３２Ａ，２３２Ｂ）は、マトリクス配列されたノズルに対応するパターンを有している。すなわち、縦線群２３０は、図中最下段のノズル行１１０Ａに属するすべてのノズル１０８Ａにより形成された縦線２３２Ａと、図中下から５行目のノズル行１１０Ｂに属するすべてのノズル１０８Ｂにより形成された縦線２３２Ｂと、を含んでいる。換言すると、ノズルチェック用パターンを構成する１段分の縦線群は、１つのノズル行に属するすべてのノズル、又は２つ以上のノズル行に属するすべてのノズルによって形成されている。
【０１５１】
図１７に示す２つのノズル行１１０Ａ，１１０Ｂに属するノズル１０８Ａ，１０８Ｂが用いられて縦線群２３０が形成される場合には、ノズル行１１０Ａに属するノズル１０８Ａにより形成される縦線２３２Ａと、ノズル行１１０Ｂに属するノズル１０８Ｂにより形成される縦線２３２Ｂとは交互に配置される。また、図１７に示す縦線群２３０を構成する縦線２３２Ａ，２３２Ｂは、図中右側から、１４ピクセル、１６ピクセル、１５ピクセル、１６ピクセル、…、のように、ノズル配置に対応して不等間隔ピッチで配置される。
【０１５２】
すなわち、ノズル行１１０Ａに属するノズル１０８Ａは、主走査方向について不等間隔に配置されている。例えば、図中右端のノズル１０８Ａ（１）と左隣のノズル１０８Ａ（２）とは、３０ノズル（ピクセル）間隔であり、さらにノズル１０８Ａ（２）と左隣のノズル１０８Ａ（３）とは３１ノズル間隔となっている。つまり、主走査方向に沿うノズル行は、当該ノズル行に属する複数のノズルが不等間隔に配置されている。同様に、ノズル行１１０Ｂに属するノズル１０８Ｂも不等間隔に配置されている。
【０１５３】
すなわち、主走査方向についてより高い記録解像度を実現すべく、主走査方向における実質的なノズル配置間隔をより小さくすることを意図して、ノズル列間をできる限り詰めた結果、主走査方向のノズル配置間隔が不等間隔となっている。
【０１５４】
ノズルチェック用パターンを構成する他の縦線群（不図示）は、縦線群２３０と同様に、当該縦線群を形成する際に使用されるノズルが属するノズル行のすべてのノズルを用いて形成される。このようにして、使用されるノズル行を順次切り換えながら、副走査方向の位置をずらして配置された複数段分の縦線群を含むノズルチェック用パターンが形成される。
【０１５５】
ノズル行の数をｑ、１段分の縦線群を形成するノズル行の数をｒとすると、ノズルチェック用パターンはｑ／ｒ段分の縦線群により構成される。なお、ｒがｑの約数でない場合には、１段分の縦線群を形成するノズル行の数がｒよりも小さいものが含まれてもよい。
【０１５６】
なお、図１に示すインクジェット記録装置１０は、４色に対応して４つのヘッド４８Ｍ，４８Ｋ、４８Ｃ，４８Ｙを有しているので、４ヘッド分のノズルチェック用パターンが形成される。４ヘッド分のノズルチェック用パターンを１枚の用紙の余白領域内に収めることが可能であれば、４ヘッド分のノズルチェック用パターンが１枚の用紙の余白領域内に形成されるが、４ヘッド分のノズルチェック用パターンを１枚の用紙の余白領域内に収めることができない場合は、１枚の用紙の余白領域内に少なくとも１ヘッド分のノズルチェック用パターンが形成されることが好ましいが、１枚の用紙に収めることができないときは複数の用紙に分割してもよい。
【０１５７】
図１８（ａ）〜（ｅ）は、１ヘッド分のノズルチェック用パターンが形成される様子を時系列順に図示した説明図である。図１８（ａ）〜（ｅ）は、固定された用紙２４０（図1の記録媒体１４と等価なもの）に対して図中上から下方向へヘッド（サブヘッド１０２）を移動させて画像記録を行うものとして図示されている。すなわち、図１８（ａ）は最も書き始めに近い状態であり、図１８（ｅ）は最も書き終わりに近い状態である。
【０１５８】
換言すると、用紙２４０を基準として、「ヘッドの相対移動方向下流側（書き終り側）」は図中下側となり、ヘッドの移動方向についての最下流側のノズル行」とは、図中最下段のノズル行（図１８（ｃ）のノズル１０８Ｅを含むノズル行１１０Ｅ）であり、用紙２４０における所定の記録位置に最初に到達するノズル行である。また、「ヘッドの相対移動方向上流側（書き始め側）」は図中上側となり、「ヘッドの相対移動方向についての最上流側のノズル行」とは、図中最上段のノズル行（図１８（ｂ）のノズル１０８Ｄを含むノズル行１１０Ｄ）であり、用紙２４０における所定の記録位置に最後に到達するノズル行である。
【０１５９】
なお、図１８（ａ）〜（ｅ）では、サブヘッド１０２の一部のノズル、及び縦線群の一部の縦線の図示は省略されている。
【０１６０】
図１８（ａ）は、ノズルチェック用パターン形成エリア２４４の開始位置２４６（例えば、用紙２４０の先端２４２から副走査方向に３ｍｍ離れた位置）に、ノズル行１１０Ｃに属するすべてのノズル１０８Ｃにより縦線２３２Ｃ（書き始めの縦線群）が形成される状態を図示している。
【０１６１】
ノズル行１１０Ｃのノズル１０８Ｃが図中左端から右へ順に駆動され、縦線２３２Ｃの一群が形成される。なお、縦線２３２Ｃは副走査方向Ｙについて数ドット分の長さを有しているので、ノズル１０８Ｃは縦線２３２Ｃの副走査方向Ｙの長さに対応して数回にわたり連続して駆動される。
【０１６２】
なお、図１８（ａ）に示す状態において、ノズル行１１０Ｃと同じ駆動タイミングで駆動されるノズル行によって、他の位置にも縦線群が形成されるが、これらの他の縦線群の図示は省略されている。
【０１６３】
図１８（ｂ）は、縦線２３２Ｃと同じ縦線群を構成する縦線２３２Ｄが形成される状態が図示される。このようにして、ノズル行１１０Ｃに属するすべてのノズル１０８Ｃ、及びノズル行１１０Ｄに属するすべてノズル１０８Ｄを順次駆動させてノズルチェック用パターン形成エリア２４４の開始位置２４６に、縦線２３２Ｃ及び縦線２３２Ｄを含む１段分の縦線群２３０Ｃが形成される。
【０１６４】
図１８（ｃ）は、ノズルチェック用パターンの最終段（図中最下段のユーザレイアウトエリア２６４に最も近い段）の縦線群（図１８（ｅ）に符号２３０Ｆを付して図示する。）を構成する縦線２３２Ｅが形成される状態が図示されている。縦線２３２Ｅは、ヘッドの移動方向最下流側の（図中下端のヘッドと用紙２４０とを相対的に移動させたときに最初に用紙２４０と対向する位置に到達する）ノズル行１１０Ｅに属するすべてのノズル１０８Ｅを用いて形成される。
【０１６５】
図１８（ｄ）は、縦線２３２Ｅと同じ縦線群を構成する縦線２３２Ｆが形成される状態が図示される。縦線２３２Ｆを形成するノズル行１１０Ｆの図中右端のノズル１０８Ｆにおける駆動が終了すると、ノズルチェック用パターンが完成する。ノズルチェック用パターンの形成が終了すると、駆動波形が異常ノズル検知用波形から記録用波形へ切り換えられて、ユーザレイアウトエリア２６４への画像記録が開始される。
【０１６６】
図１８（ｅ）は、ユーザレイアウトエリア２６４への画像記録が開始される状態を示す。この状態では、図中最下段のノズル行１１０Ｅの左端のノズル１０８Ｅ（図１８（ｃ）参照）は、ユーザレイアウトエリア２６４に位置している。
【０１６７】
ここで、図１８（ｄ）に示す駆動波形の切り換えが行われるときにおける、ノズル行１１０Ｅの図中左端のノズル１０８Ｅと、ノズル行１１０Ｆの右端のノズル１０８Ｆとの副走査方向の距離は、ノズル行１１０Ｅからノズル行１１０Ｆまでの行数分の距離にノズル行の傾斜分の距離を加えて求められる。このようにして求められる距離が無効領域の副走査方向の距離であり、例えば、ノズル行１１０Ｅからノズル行１１０Ｆまでの行数をｐ、ノズル行１行分の副走査方向の距離をΔＹ、ノズル行の傾斜分の副走査方向の距離をＹａとすると、無効領域の副走査方向の距離は、ｐ×ΔＹ＋Ｙａとなる。
【０１６８】
すなわち、主走査方向における縦線２３２の配置間隔をノズル１０８のマトリクス配列に対応して適宜選択することで、ノズルチェック用パターンの１段分の縦線群を形成するノズル行の行数差を小さくすることができ、該行数差に起因するノズルチェック用パターンの形成終了位置から画像記録開始位置までの用紙移動方向における距離を最短とすることができ、駆動波形の切り換えに起因して生じる無効領域を低減させることができる。
【０１６９】
例えば、1インチあたり1200個のノズル密度で、2048個のノズルを32行64列に配置した場合を考えると、従来技術に係る手順により形成されたノズルチェック用パターンの無効領域は、行ロス分が約9.2mm（31段分）、ノズル傾斜分のロスが約1.3mmとなり、合わせて約10.5mmの無効領域が生じるが、本発明に係る手順により形成されたノズルチェック用パターンの無効領域は、行ロス分を約1.2mm(4段分）以下とすることができ、ノズル傾斜分のロス約1.3mmを合わせても約2.5mm以下とすることができる。したがって、従来よりも無効領域の大幅な低減化が実現される。
【０１７０】
上述した実施形態では、用紙２４０の先端側の余白領域にノズルチェック用パターンが形成される場合について説明したが、用紙２４０の後端側の余白領域にノズルチェック用パターンが形成される場合にも、本発明を適用することができる。
【０１７１】
用紙２４０の後端側の余白領域にノズルチェック用パターンが形成される場合は、図１８（ａ）〜（ｅ）の上下を反転させ、図１８（ｅ），図１８（ｄ），図１８（ｃ），図１８（ｂ），図１８（ａ）の順にノズルチェック用パターンを形成すればよい。かかる態様では、ユーザレイアウトエリア２６４に最も近い１段目のパターン２３０Ｆは、ヘッドと用紙２４０とを相対的に移動させたときに最後に用紙２４０と対向する位置に到達するノズル行１１０Ｅに属するすべてのノズル１０８Ｅを用いて形成される。
【０１７２】
〔インライン検出部の構成例〕
図１９は、インライン検出部１４４の構成図である。インライン検出部１４４は、ラインＣＣＤ２７０と、そのラインＣＣＤ２７０の受光面に画像を結像させるレンズ２７２、光路を折り曲げるミラー２７３とを一体とした読取センサ部２７４が、並列に配置され、記録媒体上の画像を夫々読み取る。ラインＣＣＤ２７０はＲＧＢ３色のカラーフィルタを備えた色別のフォトセル（画素）アレイを有し、ＲＧＢの色分解によりカラー画像の読み取りが可能である。例えば、ＲＧＢ３ライン夫々のフォトセルアレイの隣には、１ライン中の偶数画素と奇数画素の電荷とを夫々、別々に転送するＣＣＤアナログシフトレジスタを備える。
【０１７３】
具体的には、画素ピッチ9.325μm、7600画素×ＲＧＢ、素子長（フォトセルの配列方向のセンサ幅）70.87mmのＮＥＣエレクトロニクス株式会社のラインＣＣＤ「μPD8827A」（商品名）を用いることができる。
【０１７４】
ラインＣＣＤ２７０は、フォトセルの配列方向と記録媒体が搬送されるドラムの軸が平行になる配置形態で、固定される。
【０１７５】
レンズ２７２は搬送ドラム（図１の圧胴６４）上に巻かれた記録媒体上の画像を所定の縮小率で結像させる縮小光学系のレンズである。例えば、0.19倍に画像を縮小するレンズを採用した場合、記録媒体上の373mm幅がラインＣＣＤ２７０上に結像される。このとき、記録媒体上の読み取り解像度は518dpiとなる。
【０１７６】
図１９のようにラインＣＣＤ２７０と、レンズ２７２、ミラー２７３とを一体とした読取センサ部２７４を搬送ドラムの軸と平行に移動調整可能とし、２つの読取センサ部２７４の位置を調整して、夫々の読取センサ部２７４が読み取る画像が僅かに重なる配置とする。また、図１９には示されていないが、検出のための照明手段として、例えば、キセノン蛍光ランプがブラケット７５の裏面、記録媒体側に配置され、定期的に白色基準板が画像と照明の間に挿入され、白基準を測定する。その状態でランプを消灯して、黒基準レベルを測定する。
【０１７７】
ラインＣＣＤ２７０の読み取り幅（一度に検査できる範囲）は、記録媒体における画像記録領域の幅との関係で多様な設計が可能である。レンズ性能と解像度の観点から、例えば、ラインＣＣＤ２７０の読み取り幅は、画像記録領域の幅（検査対象となり得る最大の幅）の１／２程度としている。
【０１７８】
ラインＣＣＤ２７０によって得られた画像データは、Ａ／Ｄコンバータ等によってデジタルデータに変換され一時的なメモリへ格納された後、システムコントローラ１７２を介して処理され、画像メモリ１７４へ格納される。
【０１７９】
〔吐出異常補正シーケンスのフローチャート〕
図２０は、本発明の実施形態に係るインクジェット記録装置における吐出異常補正のシーケンスを示すフローチャートである。本例の吐出異常補正は、印刷ジョブによる連続印刷の開始前に、オフラインでテストチャートを測定して補正データを取得する事前補正（オフライン補正）の工程（ステップＳ１２〜Ｓ１６）と、連続印刷中に装置内のセンサ（インライン検出部１４４）でノズルチェック用パターンを測定することで、連続印刷を実施しながら（印刷を中断することなく）、適応的に補正を行うインライン補正の工程（ステップＳ２０〜Ｓ３６）とを組み合わせたものとなっている。
【０１８０】
まず、オフライン測定用のテストチャートを出力し（ステップＳ１２）、その印刷結果をオフラインスキャナ（不図示）によって詳細に測定する（ステップＳ１４）。ここでいうテストチャートには、吐出異常ノズルの有無や吐出異常ノズルの位置を特定するのに適したラインパターンが含まれる。もちろん、濃度ムラなどの測定に適した濃度パターンなど、他の目的を達成するためのものが含まれてもよい。オフライン測定の場合は、記録媒体１４の記録面全体（画像形成領域及び非画像領域）にテストパターンを形成することができる。
【０１８１】
１枚の記録媒体にこれらテストパターンを組み合わせて印字してもよいし、各テストパターンの要素を複数枚の記録媒体に分けて印字してもよい。こうして出力されたテストチャートの印字結果をフラットベットスキャナなどの画像読取装置を利用して読み取り、吐出異常ノズルの位置を特定した吐出異常ノズルデータなど、画像補正等の処理に必要な各種データを生成する。なお、オフラインスキャナは、装置内のインライン検出部１４４よりも高解像度（高分解能）のものを使用することが望ましい。
【０１８２】
こうして得られた各種データは、通信インターフェースや外部記憶媒体（リムーバブルメディア）等を介して、インクジェット記録装置１０に入力される。
【０１８３】
このオフライン測定結果を利用して、補正データが作成される（ステップＳ１６）。この補正データは、システムのパラメータとして所定の記憶部に記憶される。ステップＳ１６において補正データが作成されると、適宜のタイミングで多数枚の連続印刷を行う印刷ＪＯＢが開始される（ステップＳ２０）。印刷開始後は、インライン補正が行われる。
【０１８４】
すなわち、印刷が開始されると、用紙先端部の非画像部に、異常ノズル検知用波形でインラインノズルチェック用パターンを形成し（ステップＳ２２）、画像部については通常の描画用の駆動波形（記録用波形）によって目的の画像が描画記録される（ステップＳ２４）。
【０１８５】
なお、ステップＳ２２において形成されるノズルチェック用パターンは、用紙後端部の非画像部に形成してもよい。かかるノズルチェック用パターンは、図１７，１８に図示した１オンＮオフパターンが適用され、該ノズルチェック用パターンの形成方法は、図１８（ａ）〜（ｅ）を用いて説明した方法が適用される。
【０１８６】
ノズルチェック用パターン及び画像部の描画記録が完了した記録媒体１４は、搬送手段によって搬送され、インライン検出部１４４によってノズルチェック用パターンの印字結果が読み取られる（ステップＳ２６）。この読み取り情報を基に、吐出異常ノズルの有無が判定される（ステップＳ２８）。
【０１８７】
吐出異常ノズルの判断基準に関する情報は、予めＲＯＭ１７５等に記憶されており、画質モードに応じた判定基準値が設定される。例えば、飛翔曲がりによる着弾誤差の許容値や、ライン幅の許容値（吐出量の許容値）、濃度値など、１つ又は複数の評価項目に関する基準値が規定される。この基準値に従い異常ノズルの有無が判断され、異常ノズルが特定される。
【０１８８】
ステップＳ２８において、吐出異常（不吐出や飛翔曲がり）のノズルが存在しなければ、ステップＳ３４に進む。
【０１８９】
その一方、ステップＳ２８において、吐出異常のノズルが存在しているときは、当該吐出異常ノズルの位置を特定し、この吐出異常ノズルを画像部の描画時に使用しない不吐出ノズルとして取り扱うべく、不吐出ノズルを示す不吐出ノズルデータを更新する（ステップＳ３０）。
【０１９０】
そして、この測定結果を基に画像データが補正され、補正後の画像データが生成される（ステップＳ３２）。ここでいう「画像データ」とは、量子化処理前の画像データ（多値の画素値を持つ画像データ）である。すなわち、補正後の画像データに対して量子化処理が施され、ドットデータが生成される。一方、量子化処理後のドットデータに対して、吐出異常ノズルにより本来形成されるべきドットの近傍に、吐出異常ノズルの隣接ノズルによる代用ドットを追加するようにドットデータを変更することも可能である。
【０１９１】
ステップＳ３４では、描画枚数がカウントされ、描画枚数が指定された枚数に達したか否かが判断される。描画枚数が指定枚数に達していない場合（Ｎｏ判定）は、印刷ジョブが継続されるとともに、ステップＳ２２〜ステップＳ３２の各工程が繰り返し実行される。一方、ステップＳ３４において、描画枚数が指定枚数に達した場合には（Ｙｅｓ判定）、ステップＳ３６に進み、印刷ＪＯＢが終了される。
【０１９２】
（吐出異常ノズルが多く検出された場合の対処）
図２０のステップＳ２８〜Ｓ３０で説明した工程において、吐出異常ノズルとして検知されたノズル数が所定の規定値を超えた場合には、使用者（ユーザ）に対して警告を行うことが好ましい。例えば、表示部１９８に警告メッセージを表示し、ヘッドメンテナンスの必要性等についてユーザに注意を喚起する。
【０１９３】
或いは、上記の警告に代えて、又はこれと併せて、自動的にヘッドメンテナンスを実行する制御を行う態様も好ましい。この場合は、ヘッドをメンテナンス位置に移動する必要があるため、印刷を中断し、メンテナンス部において、加圧パージ、インク吸引、空吐出、ノズル面のワイピングなどのメンテナンス動作が実施される。
【０１９４】
（吐出異常ノズルの補正の他の方法）
吐出異常ノズルの補正として、ノズル駆動の変更による補正（代用打滴）も可能である。例えば、吐出異常ノズルの近隣に位置するノズルを使用して代用打滴を行なうことが挙げられる。すなわち、吐出異常ノズルの駆動信号を常にオフとし、吐出異常ノズルの周辺に位置するノズルのうち非駆動ノズルを吐出異常ノズルが駆動されるタイミングで駆動する。かかる吐出異常ノズルの代用打滴により、当該吐出異常ノズルによって本来形成されるドットの近隣に代用ドットが形成され、吐出異常ノズルに起因するドット抜けの視認性を低下させることができる。
【０１９５】
上記の如く構成されたノズルチェック用パターンの形成方法によれば、吐出異常を検出するために用紙の非画像部に形成される１オンＮオフパターンを有するノズルチェック用パターンを形成する際に、主走査方向と角度βをなす行方向Ｖに沿って配列された少なくとも１つのノズル行に属するすべてのノズルを使用して、該ノズルチェック用パターンの一段分の縦線群（ドット群）を形成するので、ノズルチェック用パターンを形成する際に適用されるノズル検知用波形と用紙の画像部へ描画を行なうための描画記録用の波形との切り換え時に生じる無効領域が低減化され、ノズルチェック用パターンを形成するための非画像部を有効に使用することができる。
【０１９６】
〔他の装置への応用例〕
上記の実施形態では、グラフィック印刷用のインクジェット記録装置への適用を例に説明したが、本発明の適用範囲はこの例に限定されない。例えば、電子回路の配線パターンを描画する配線描画装置、各種デバイスの製造装置、吐出用の機能性液体として樹脂液を用いるレジスト印刷装置、カラーフィルタ製造装置、マテリアルデポジション用の材料を用いて微細構造物を形成する微細構造物形成装置など、液状機能性材料を用いて様々な形状やパターンを得るインクジェットシステムにも広く適用できる。
【０１９７】
〔付記〕
上記に詳述した実施形態についての記載から把握されるとおり、本明細書では以下に示す発明を含む多様な技術思想の開示を含んでいる。
【０１９８】
（発明１）：記録媒体へ液滴を吐出する複数のノズルが二次元配列された構造を有するインクジェットヘッドと、前記インクジェットヘッドと記録媒体とを所定の移動方向に沿って相対的に移動させる移動手段と、同一の駆動タイミングで駆動されるノズルを同一の駆動波形又は同一の駆動波形群を用いて駆動するように駆動制御を行う駆動制御手段と、記録媒体の画像形成領域へ画像記録を行う際に用いられる記録用波形と、前記画像形成領域の外側に隣接する先端側又は後端側の余白領域へノズルチェック用パターンを形成する際に用いられる異常ノズル検知用波形との切り換えを行う駆動波形切換手段と、を備え、前記インクジェットヘッドは、前記移動方向と直交する主走査方向又は前記主走査方向と所定の角度をなす斜め方向の行方向と、前記移動方向と平行の副走査方向又は前記副走査方向と所定の角度をなす斜め方向の列方向と、に沿って複数のノズルが並べられた構造を有し、前記駆動制御手段は、副走査方向に伸びる縦線が主走査方向に所定の間隔をおいて並べられた１段分の縦線群を有し、かつ、主走査方向の位相をずらした複数段分の縦線群が副走査方向に沿って並べられるように形成されるノズルチェック用パターンを前記インクジェットヘッドの画像記録に使用されるすべてのノズルを用いて形成し、１段分の縦線群を形成する際に１行のノズル行に属するすべてのノズルを用いるか、又は隣接しない複数のノズル行に属するすべてのノズル用いるように、各ノズルの駆動を制御することを特徴とするインクジェット記録装置。
【０１９９】
本発明によれば、画像記録領域へ画像記録を行う際に用いられる記録用波形と、余白領域にノズルチェック用パターンを形成する際に用いられる異常ノズル検知用波形との切り換え時における無効領域が低減化され、ノズルチェック用パターンが形成されるための領域が確保される。したがって、１枚の記録媒体の中に十分なノズルチェック用パターンを形成することができるので、不安定ノズルの検出頻度が向上し、検出精度の向上につながる。
【０２００】
また、ノズルチェック用パターンを形成するための領域をより小さくすることができるので、記録媒体の全体サイズが一定であれば、画像形成領域をより大きくすることができ、一方、画像形成領域のサイズが一定であれば、記録媒体の全体サイズを小さくすることができる。
【０２０１】
インクジェットヘッドは、複数のノズルに対応して設けられる複数の液室と、複数の液室に対応して設けられる複数の吐出素子と、を備え、ノズルの配列に対応させて液室及び吐出素子を配設して構成される態様がある。
【０２０２】
インクジェットヘッドは、ノズルからカラーインクを吐出する形態以外にも、ノズルからレジスト液、樹脂液などの液体を吐出して所望のパターンを形成する形態がある。
【０２０３】
異常ノズル検知用波形は、吐出異常に起因する現象が起こりやすくなることを意図して生成された駆動波形が好ましい。
【０２０４】
１段分の縦線群を構成する縦線の主走査方向の配置間隔は、該ノズルチェック用パターンを読み取る読取手段の読取解像度に応じて決められる。すなわち、複数のノズル行に属するすべてのノズルを用いてノズルチェック用パターンを形成する際は、同一の縦線群を形成するノズル行の間の行数は、（ヘッドの記録解像度）／(読取手段の読取解像度)の値以上となる。
【０２０５】
（発明２）：発明１に記載のインクジェット記録装置において、前記駆動制御手段は、前記縦線の主走査方向における間隔が前記ノズル配列に対応した不等間隔となるノズルチェック用パターンを形成するように各ノズルの駆動制御を行うことを特徴とする。
【０２０６】
すなわち、主走査方向の高記録密度化を目的として、ノズル列間の配置ピッチをより小さくし、行方向のノズル配置間隔を不等間隔としたヘッドを用いて、１つのノズル行に属するすべてのノズルを使用してノズルチェック用パターンの１段分を形成すると、該１段分の縦線列の縦線間隔は不等間隔となる。
【０２０７】
（発明３）：発明１又は２に記載のインクジェット記録装置において、前前記駆動制御手段は、前記画像形成領域の先端側の余白領域へ前記ノズルチェック用パターンの前記画像形成領域に最も近い段を形成する際に、前記記録ヘッドと前記記録媒体とを相対的に移動させるときに記録媒体と対向する位置に最初に到達するノズル行に属するすべてのノズルが用いられるように各ノズルの駆動制御を行うことを特徴とする。
【０２０８】
かかる態様によれば、前記記録ヘッドと前記記録媒体とを相対的に移動させたときに記録媒体と対向する位置に最初に到達するノズル行が無効領域を通過した後に、直ちに画像記録領域への画像記録を開始することができる。
【０２０９】
（発明４）：発明１又は２に記載のインクジェット記録装置において、前記画像形成領域の後端側の余白領域へ前記ノズルチェック用パターンの前記画像形成領域に最も近い段を形成する際に、前記ヘッドと前記記録媒体とを相対的に移動させるときに記録媒体と対向する位置に最後に到達するノズル行に属するすべてのノズルが用いられるように各ノズルの駆動制御を行うことを特徴とする。
【０２１０】
かかる態様によれば、前記記録ヘッドと前記記録媒体とを相対的に移動させたときに記録媒体と対向する位置に最後に到達するノズル行が画像形成領域を通過した後に、直ちに画像形成領域の書き終り側の余白領域へノズルチェック用パターンの形成を開始することができる。
【０２１１】
（発明５）：発明１乃至４のいずれかに記載のインクジェット記録装置において、前記インクジェットヘッドは、複数のノズルが二次元配列された構造を有するサブヘッドをつなぎ合わせた構造を有し、前記駆動制御手段は、前記サブヘッドごとに所定の駆動波形又は駆動波形群を用いて当該サブヘッドに設けられる各ノズルの駆動を制御することを特徴とする。
【０２１２】
かかる態様において、サブヘッドごとに駆動制御が行われることで、ヘッド全体を一括して制御する態様に比べて、駆動制御手段の制御負荷を分散化させることができる。
【０２１３】
（発明６）：発明５に記載のインクジェット記録装置において、前記インクジェットヘッドは、複数のサブヘッドが主走査方向に沿って一列に並べられた構造を有することを特徴とする。
【０２１４】
かかる態様において、各サブヘッドの平面形状を略平行四辺形とし、サブヘッド間のつなぎ目においてオーバーラップ部を設ける態様が好ましい。
【０２１５】
（発明７）：発明１乃至６のいずれかに記載のインクジェット記録装置において、前記記録用波形及び前記異常ノズル検知用波形を生成する波形生成手段と、前記波形生成手段により生成された波形を有する駆動波形又は駆動波形群を生成する駆動波形生成手段と、画像データに基づいて各ノズルを選択的にオンオフさせる駆動信号を生成する駆動信号生成手段と、を備えたことを特徴とする。
【０２１６】
かかる態様において、記録用波形を生成する手段と、異常ノズル検知用波形を生成する手段とを別々に備える態様も可能である。
【０２１７】
（発明８）：発明１乃至７のいずれかに記載のインクジェット記録装置において、前記ノズルチェック用パターンを読み取る読取装置から得られる読取情報に基づいて吐出異常となっている異常ノズルを判定する異常ノズル判定手段と、異常ノズルと判定されたノズルに対して所定の処理を行なう処理手段と、を備えたことを特徴とする。
【０２１８】
かかる態様における処理手段の形態として、異常ノズルと判定されたノズルのデータ値を最小値（又は最大値）として再演算を行う補正処理や、異常ノズルと判定されたノズルの隣接ノズルを用いて代用打滴を行なう処理が可能である。すなわち、発明８に係る処理手段は画像データの補正を行うなどの補正処理を行う補正手段として機能させる態様が可能である。
【０２１９】
（発明９）：発明８に記載のインクジェット記録装置において、前記処理手段は、異常ノズルと判定されたノズルを使用しないように前記異常ノズルに対応した処理を行うことを特徴とする。
【０２２０】
かかる態様において、画像データを補正する場合には、当該異常ノズルに対応する画素値をゼロとし、かかる補正後の画素値に基づき量子化処理を行なうことが考えられる。また、異常ノズルの駆動を変更して補正する場合には、該異常ノズルの駆動を停止させる（駆動信号を非印加とする）ことが考えられる。
【０２２１】
かかる態様における補正処理の一例として、マスク化処理（不吐化処理）が挙げられる。
【０２２２】
（発明１０）：発明８又は９に記載のインクジェット記録装置において、前記読取装置は、当該インクジェット記録装置に具備されるインラインセンサであることを特徴とする。
【０２２３】
かかる態様によれば、インライン検査により、逐次吐出異常ノズルの補正が可能である。
【０２２４】
（発明１１）：記録媒体へ液滴を吐出する複数のノズルが二次元配列された構造を有するインクジェットヘッドと記録媒体とを所定の移動方向に沿って相対的に移動させる移動工程と、同一の駆動タイミングで駆動されるノズルを同一の駆動波形又は同一の駆動波形群を用いて駆動するように駆動制御を行う駆動制御工程と、記録媒体の画像形成領域へ画像記録を行う際に用いられる記録用波形と、前記画像形成領域の外側に隣接する先端側又は後端側の余白領域へノズルチェック用パターンを形成する際に用いられる異常ノズル検知用波形との切り換えを行う駆動波形切換工程と、前記ノズルチェック用パターン形成を用いて吐出異常のノズルを検出する検出工程と、を含み、前記インクジェットヘッドは、前記移動方向と直交する主走査方向又は前記主走査方向と所定の角度をなす斜め方向の行方向と、前記移動方向と平行の副走査方向又は前記副走査方向と所定の角度をなす斜め方向の列方向と、に沿って複数のノズルが並べられた構造を有し、前記駆動制御工程において、副走査方向に伸びる縦線が主走査方向に所定の間隔をおいて並べられた１段分の縦線群を有し、かつ、主走査方向の位相をずらした複数段分の縦線群が副走査方向に沿って並べられるように形成されるノズルチェック用パターンを前記インクジェットヘッドの画像記録に使用されるすべてのノズルを用いて形成し、１段分の縦線群を形成する際に１行のノズル行に属するすべてのノズルを用いるか、又は隣接しない複数のノズル行に属するすべてのノズル用いるように、各ノズルの駆動が制御されることを特徴とする吐出検出方法。
【符号の説明】
【０２２５】
１０…インクジェット記録装置、４８Ｍ，４８Ｋ、４８Ｃ，４８Ｙ，１００…ヘッド、８２…インラインセンサ、１０２…サブヘッド、１０８…ノズル、１１０…ノズル列、１４４…インライン検出部、１７２…システムコントローラ、１７２Ａ…吐出異常ノズル判定部、１８０…プリント制御部、１８０Ｂ…補正処理部、１８０Ｃ…インク吐出データ生成部、１８０Ｄ…駆動波形生成部、１８４…ヘッドドライバ
【図１】
2011140194.tif 000003
【図２】
2011140194.tif 000004
【図３】
2011140194.tif 000005
【図４】
2011140194.tif 000006
【図５】
2011140194.tif 000007
【図６】
2011140194.tif 000008
【図７】
2011140194.tif 000009
【図８】
2011140194.tif 000010
【図９】
2011140194.tif 000011
【図１０】
2011140194.tif 000012
【図１１】
2011140194.tif 000013
【図１２】
2011140194.tif 000014
【図１３】
2011140194.tif 000015
【図１４】
2011140194.tif 000016
【図１５】
2011140194.tif 000017
【図１６】
2011140194.tif 000018
【図１７】
2011140194.tif 000019
【図１８】
2011140194.tif 000020
【図１９】
2011140194.tif 000021
【図２０】
2011140194.tif 000022
【図２１】
2011140194.tif 000023
【図２２】
2011140194.tif 000024
【図２３】
2011140194.tif 000025